(57)【要約】  広視野を有しかつ手持ち式イメージングプローブを備える光干渉断層法（ＯＣＴ）イメージングシステムが本明細書で開示される。手持ち式イメージングプローブは、第一のイメージングモジュールとＯＣＴイメージングモジュールを備えることができる。第一のイメージングモジュールは、第一の照明路と、別個の第一のイメージング路を有することができる。第一のイメージングモジュールは、サンプルと接触するように構成される光学窓を備えることができる。ＯＣＴイメージングモジュールは、走査ＭＥＭＳミラーおよびビーム分割ダイクロイックミラーを備えることができる。ＯＣＴイメージングシステムは、ＯＣＴ画像品質を安定化しかつ向上するために動きの影響を減少するために少なくとも一つの偏光保持ファイバを備えることができる。手持ち式イメージングプローブは、ＯＣＴ光源の波長範囲内の光ビームに関する光学分散およびＯＣＴイメージングモジュールの撮影視野に関する光学分散に対して色消しされる一つ以上のレンズをさらに備えることができる。
2018526161.tif 000002
【特許請求の範囲】
【請求項１】
手持ち式イメージングプローブを備える広視野光干渉断層法（ＯＣＴ）イメージングシステムであって、
該手持ち式イメージングプローブが、
先端部を有するプローブハウジングと
該プローブハウジングの主要部分に配置される第一のイメージングモジュールと、
該プローブハウジングの側部に配置されるＯＣＴイメージングモジュールと、
を備え、
前記第一のイメージングモジュールが、
第一の照明路と、
該第一の照明路から分離された第一のイメージング路と、
を備え、
前記第一の照明路が、
前記プローブハウジングの内側に配置された第一の光源と、
複数のセグメントを有しかつ光学窓の周辺部分の背後に配置され、前記第一の光源からの第一の光ビームを受光しかつ該第一の光ビームを眼に向けて方向制御するように構成された光調整要素と、
を備え、
前記第一のイメージング路が、
前記先端部に配置されかつ前記眼の角膜と接触するように構成され、凹面状前面を有する光学窓と、
前記第一のイメージングモジュールの焦点を調整するための第一の合焦レンズと、
前記眼の第一の画像を受け取るように構成された画像センサと、
を備え、
前記ＯＣＴイメージングモジュールが、
第二の照明路と第二のイメージング路を備え、
該第二の照明路と該第二のイメージング路が、
ＯＣＴ光源からのＯＣＴ光ビームの第一の部分を走査するように構成され、かつ前記第一の照明路と前記第一のイメージング路の外側に配置された走査ＭＥＭＳミラーと、
前記第一のイメージング路に配置されかつ前記第一の光ビームを透過させかつ前記ＯＣＴ光ビームの前記第一の部分を反射するように構成されたビーム分割ダイクロイックミラーと、
前記ＯＣＴイメージングモジュールの焦点を調整するための第二の合焦レンズと、
を備える、
ＯＣＴイメージングシステム。
【請求項２】
前記走査ＭＥＭＳミラーは、前記第一のイメージングシステムの入射瞳の光学的共役面に配置される、請求項１に記載のＯＣＴイメージングシステム。
【請求項３】
前記ＯＣＴイメージングモジュールの開口の実像は、後眼部がイメージングされる時に、前記眼の結晶体の前面近くに配置される、請求項１に記載のＯＣＴイメージングシステム。
【請求項４】
前記第一のイメージング路に配置されかつ前記光学窓に光学的に位置合わせされたイメージングレンズと第一のリレーレンズをさらに備え、前記ビーム分割ダイクロイックミラーは、前記第一のリレーレンズの背後に配置され、前記第二のイメージング路と前記第一のイメージング路は、前記第一のリレーレンズまでのみ光学コンポーネントを共有する、請求項１に記載のＯＣＴイメージングシステム。
【請求項５】
前記ＯＣＴイメージングモジュールの撮影視野は、単一ボリューム取得において少なくとも１２０度×１２０度であるが１８０度×１８０度を超えない、請求項１に記載のＯＣＴイメージングシステム。
【請求項６】
前記第一の光源は、４５０ｎｍと７００ｎｍの間であって４５０ｎｍと７００ｎｍを含む第一の波長範囲を有する、請求項１に記載のＯＣＴイメージングシステム。
【請求項７】
前記第一の光源は、近赤外光域において７００ｎｍから８４０ｎｍまでの第一の波長範囲を有する、請求項１に記載のＯＣＴイメージングシステム。
【請求項８】
前記光学窓と前記ＯＣＴイメージングモジュールは、前記手持ち式イメージングプローブの取り外し可能な前部イメージングモジュールに配置され、該取り外し可能な前部イメージングモジュールは、工具を使用することなく、前記手持ち式イメージングプローブから繰り返し取り外されかつ再び取り付けられるように構成される、請求項１に記載のＯＣＴイメージングシステム。
【請求項９】
前記第一の合焦レンズは、前記第一の光源の波長範囲内の前記第一の光ビームに関する光学分散に対して、および前記第一のイメージングモジュールの撮影視野に関する光学分散に対して色消しされる、請求項１に記載のＯＣＴイメージングシステム。
【請求項１０】
前記第二の合焦レンズは、前記ＯＣＴ光源の波長範囲内の前記ＯＣＴ光ビームに関する光学分散に対して、および前記ＯＣＴイメージングモジュールの撮影視野に関する光学分散に対して色消しされる、請求項１に記載のＯＣＴイメージングシステム。
【請求項１１】
コンソールをさらに備え、該コンソールは、前記ＯＣＴ光源、干渉計、および第一の光ファイバを備え、該第一の光ファイバは、該コンソールと前記手持ち式イメージングプローブに接続され、かつ前記干渉計のサンプルアームを形成するために、前記ＯＣＴ光源からの前記ＯＣＴ光ビームの前記第一の部分を前記手持ち式イメージングプローブに結合するように構成される、請求項１に記載のＯＣＴイメージングシステム。
【請求項１２】
前記ＯＣＴ光源は、波長掃引レーザである、請求項１１に記載のＯＣＴイメージングシステム。
【請求項１３】
前記コンソールは、前記ＯＣＴ光ビームの第二の部分を前記干渉計の参照アームに結合するように構成された第二の光ファイバを備え、該参照アームは、該コンソールに配置される、請求項１１に記載のＯＣＴイメージングシステム。
【請求項１４】
前記手持ち式イメージングプローブは、ＯＣＴ干渉計の参照アームをさらに備え、前記ＯＣＴ光源の第二の部分は、前記第一の光ファイバによって該参照アームに結合される、請求項１１に記載のＯＣＴイメージングシステム。
【請求項１５】
前記干渉計からのデータを処理しかつ前記ＯＣＴイメージングモジュールから前記眼のＯＣＴ画像を生成するように構成されたプロセッサをさらに備える、請求項１１に記載のＯＣＴイメージングシステム。
【請求項１６】
前記手持ち式イメージングプローブは、無線送信器、無線受信器およびディスプレイをさらに備え、該ディスプレイは、前記第一の画像と前記ＯＣＴ画像を同時に提示するように構成される、請求項１５に記載のＯＣＴイメージングシステム。
【請求項１７】
前記第一の光ファイバは、前記ＯＣＴ画像の品質を安定化して向上させるために前記第一の光ファイバの動きの影響を減少するために前記ＯＣＴ光ビームの偏光を維持するように構成される、請求項１５に記載のＯＣＴイメージングシステム。
【請求項１８】
前記第一の光ファイバは、前記光ビームが一つの直線偏光のみで該第一の光ファイバの内を伝わるように、前記光ファイバの軸の一つにおける残留光ビームを除去するために複数の巻きを備える、請求項１７に記載のＯＣＴイメージングシステム。
【請求項１９】
前記コンソールに配置された走査ＭＥＭＳミラーコントローラと、前記コンソールを前記手持ち式イメージングプローブに接続する電気ケーブルとを備え、前記走査ＭＥＭＳミラーコントローラおよび前記走査ＭＥＭＳミラーが該電気ケーブルを介して同期される、請求項１５に記載のＯＣＴイメージングシステム。
【請求項２０】
前記コンソールに配置された走査ＭＥＭＳミラーコントローラ、前記コンソールに配置されかつ電気信号を光信号に変換するように構成された電気−光コンバータ、前記手持ち式イメージングプローブに配置されかつ前記光信号を前記電気信号に戻すように変換するように構成された光−電気コンバータ、並びに前記手持ち式イメージングプローブおよび前記コンソールに接続された第三の光ファイバを備え、前記第三の光ファイバが前記光信号を送信するように構成され、走査ミラーコントローラ、走査ミラードライバおよび前記走査ＭＥＭＳミラーが前記第三の光ファイバを介して同期される、請求項１５に記載のＯＣＴイメージングシステム。
【請求項２１】
一方が前記コンソールに配置されかつ他方が前記手持ち式イメージングプローブに配置された一対の無線トランスポンダを備え、前記走査ミラーコントローラおよび前記走査ＭＥＭＳミラーが、前記無線トランスポンダを介して無線で同期される、請求項１５に記載のＯＣＴイメージングシステム。
【請求項２２】
前記コンソールに配置された第三の光源と該コンソールに配置されたビームコンバイナとをさらに備え、該ビームコンバイナは、前記ＯＣＴ光源と該第三の光源の両方を前記第一の光ファイバを介して前記手持ち式イメージングプローブに結合するように構成され、該第三の光源は第三の光ビームを有し、該第三の光源は第三の照明路と第三のイメージング路とを有し、前記第三の照明路は前記ＯＣＴイメージングモジュールの前記第二の照明路に沿っており、前記第三のイメージング路は前記第一のイメージングモジュールの前記第一のイメージング路に沿っており、前記ビーム分割ダイクロイックミラーは、前記第三の光ビームを部分的に反射しかつ部分的に透過するように構成される、請求項１５に記載のＯＣＴイメージングシステム。
【請求項２３】
前記第三の光ビームの軌跡は、前記ＯＣＴ光ビームのイメージング位置の位置決めを提供しかつ前記第二の合焦レンズを制御するためにフィードバックを提供するように構成され、前記第一の合焦レンズの第一の調整および前記第二の合焦レンズの第二の調整が該フィードバックを介して同期される、請求項２２に記載のＯＣＴイメージングシステム。
【請求項２４】
ＯＣＴイメージングモジュールを有する手持ち式イメージングプローブと、コンソールとを備える広視野光干渉断層法（ＯＣＴ）イメージングシステムであって、
前記手持ち式イメージングプローブが、
先端部を有するプローブハウジングと、
前記先端部に配置され、眼の角膜と接触するように構成され、凹面状前面を有する光学窓と、
光源からの光ビームの第一の部分を走査するように構成された走査ＭＥＭＳミラーと、
イメージング路にある一つ以上のレンズと、
を備え、
前記コンソールが、
前記光源と、
前記眼のＯＣＴ画像の品質を安定化しかつ向上するために前記光源からの光ビームを前記手持ち式イメージングプローブに結合しかつ動きの影響を減少するように構成された少なくとも一つの偏光保持ファイバを備える干渉計と、
該干渉計からのデータを処理しかつ前記ＯＣＴイメージングモジュールから前記ＯＣＴ画像を生成するように構成されたプロセッサと、
走査ＭＥＭＳミラーコントローラと、
前記コンソールを前記手持ち式イメージングプローブに接続しかつ前記走査ＭＥＭＳミラーを前記光源および前記走査ＭＥＭＳミラーコントローラと同期させるように構成されたデータリンクと、
を備える、
ＯＣＴイメージングシステム。
【請求項２５】
前記ＯＣＴイメージングモジュールの撮影視野は、単一ボリューム取得において少なくとも１２０度×１２０度であるが１８０度×１８０度を超えない、請求項２４に記載のＯＣＴイメージングシステム。
【請求項２６】
前記一つ以上のレンズは、前記光源の波長範囲内の前記光ビームに関する光学分散に対して色消しされる、請求項２４に記載のＯＣＴイメージングシステム。
【請求項２７】
前記一つ以上のレンズは、前記ＯＣＴイメージングモジュールの撮影視野に関する光学分散に対して色消しされる、請求項２４に記載のＯＣＴイメージングシステム。
【請求項２８】
前記光源は波長掃引レーザである、請求項２４に記載のＯＣＴイメージングシステム。
【請求項２９】
前記少なくとも一つの偏光保持ファイバは、前記光ビームが一つの直線偏光のみで伝わるように前記偏光保持ファイバの軸の一つにおいて残留ＯＣＴ光ビームを除去するために複数の巻きを備える、請求項２４に記載のＯＣＴイメージングシステム。
【請求項３０】
前記データリンクは電気ケーブルである、請求項２４に記載のＯＣＴイメージングシステム。
【請求項３１】
前記データリンクは第二の光ファイバケーブルである、請求項２４に記載のＯＣＴイメージングシステム。
【請求項３２】
前記データリンクは無線である、請求項２４に記載のＯＣＴイメージングシステム。
【請求項３３】
無線送信器、無線受信器およびディスプレイをさらに備え、該ディスプレイは、前記ＯＣＴ画像を提示するように構成される、請求項２４に記載のＯＣＴイメージングシステム。
【請求項３４】
ＯＣＴイメージングモジュールを有する手持ち式イメージングプローブと、コンソールとを備える広視野光干渉断層法（ＯＣＴ）イメージングシステムであって、
該手持ち式イメージングプローブが、
先端部を有するプローブハウジングと、
前記先端部に配置され眼の角膜と接触するように構成され、凹面状前面を有する光学窓と、
光源からの光ビームの第一の部分を走査するように構成された走査ＭＥＭＳミラーと、
イメージング路にあり、前記光源の波長範囲内の前記光ビームに関する光学分散に対しておよび前記ＯＣＴイメージングモジュールの撮影視野に関する光学分散に対して色消しされる一つ以上のレンズと、
を備え、
前記コンソールが、
前記光源と、
複数のファイバを備える干渉計と、
前記干渉計からのデータを処理しかつ前記ＯＣＴイメージングモジュールから前記眼のＯＣＴ画像を生成するように構成されたプロセッサと、
走査ＭＥＭＳミラーコントローラと、
前記コンソールを前記手持ち式イメージングプローブに接続し、かつ前記走査ＭＥＭＳミラーを前記光源および前記走査ＭＥＭＳミラーコントローラと同期させるように構成されたデータリンクと、
を備える、
ＯＣＴイメージングシステム。
【請求項３５】
前記ＯＣＴイメージングモジュールの撮影視野は、単一ボリューム取得において少なくとも１２０度×１２０度であるが１８０度×１８０度を超えない、請求項３４に記載のＯＣＴイメージングシステム。
【請求項３６】
前記光源は波長掃引レーザである請求項３４に記載のＯＣＴイメージングシステム。
【請求項３７】
前記データリンクは別の光ファイバケーブルである、請求項３４に記載のＯＣＴイメージングシステム。
【請求項３８】
前記データリンクは無線である、請求項３４に記載のＯＣＴイメージングシステム。
【請求項３９】
無線送信器、無線受信器およびディスプレイをさらに備え、該ディスプレイは前記ＯＣＴ画像を提示するように構成される、請求項３４に記載のＯＣＴイメージングシステム。
【請求項４０】
広視野光干渉断層法（ＯＣＴ）画像を得る方法であって、該方法は、
手で手持ち式イメージングプローブを保持するステップと、
前記手持ち式イメージングプローブの先端部に配置される光学窓を眼の角膜と接触させるステップと、
第一の照明路に沿って前記光学窓の周辺部分の背後に配置された光調整要素を介して第一の光源から伝送された第一の光ビームで前記眼を照明するステップと、
前記光調整要素で前記第一の光ビームを方向制御するステップと、
前記第一の照明路から分離された第一のイメージング路を通って前記眼の第一の画像を得るステップと、
前記第一の照明路と前記第一のイメージング路の外側に配置された走査ＭＥＭＳミラーでＯＣＴ光源からのＯＣＴ光ビームを走査するステップと、
ビーム分割ダイクロイックミラーからの前記ＯＣＴ光ビームの第一の部分を前記眼に反射し、かつ前記眼からの反射されたＯＣＴ光ビームを受光するステップと、
前記眼の前記ＯＣＴ画像を得るステップと、
を備える方法。
【請求項４１】
前記眼の第一の画像を得るステップは、前記第一の光源の波長範囲内の前記第一の光ビームに関する光学分散に対しておよび前記第一の画像の撮影視野に関する光学分散に対して色消しされる一つ以上のレンズで前記眼の前記第一の画像を得るステップを備える、請求項４０に記載の方法。
【請求項４２】
前記眼の前記ＯＣＴ画像を得るステップは、前記ＯＣＴ光源の波長範囲内の前記ＯＣＴ光ビームに関する光学分散に対しておよび前記ＯＣＴ画像の撮影視野に関する光学分散に対して色消しされる一つ以上のレンズで前記眼の前記ＯＣＴ画像を得るステップを備える、請求項４０に記載の方法。
【請求項４３】
前記ＯＣＴ光源として波長掃引レーザを使用するステップをさらに備える、請求項４０に記載の方法。
【請求項４４】
前記手持ち式イメージングプローブのディスプレイに前記第一の画像と前記ＯＣＴ画像を同時に提示するステップをさらに備える、請求項４０に記載の方法。
【請求項４５】
前記ＯＣＴ画像の品質を安定化して向上させるために動きの影響を減少するために、前記ＯＣＴ光源からの前記ＯＣＴ光ビームを偏光保持光ファイバで前記手持ち式イメージングプローブに結合するステップをさらに備える、請求項４０に記載の方法。
【請求項４６】
第三の光源からの第三の光ビームで前記ＯＣＴ光ビームのイメージング位置の位置決めを提供するステップをさらに備え、前記第三の光ビームは、ＯＣＴイメージングモジュールの照明路に沿う第三の照明路と第一のイメージングモジュールの前記第一のイメージング路に沿う第三のイメージング路とを有する、請求項４０に記載の方法。
【請求項４７】
前記第一の画像の第一の焦点調整および前記ＯＣＴ画像の第二の焦点調整を前記第三の光ビームの軌跡からのフィードバックと同期させるステップをさらに備える、請求項４６に記載の方法。
【請求項４８】
広視野光干渉断層法（ＯＣＴ）画像を得る方法であって、該方法は、
手で手持ち式イメージングプローブを保持するステップと、
該手持ち式イメージングプローブの先端部に配置された光学窓を眼の角膜と接触させるステップと、
動きの影響を減少するためおよびＯＣＴ画像の品質を向上させるために偏光保持ファイバによって前記手持ち式イメージングプローブに結合されたＯＣＴ光源からのＯＣＴ光ビームで前記眼を照明するステップと、
走査ＭＥＭＳミラーを使用して前記ＯＣＴ光ビームの第一の部分を走査するステップと、
前記眼の前記ＯＣＴ画像を得るステップと、
を備える方法。
【請求項４９】
前記眼の前記ＯＣＴ画像を得るステップは、前記ＯＣＴ光源の波長範囲内の前記ＯＣＴ光ビームに関する光学分散に対しておよび前記ＯＣＴ画像の撮影視野に関する光学分散に対して色消しされる一つ以上のレンズで前記眼の前記ＯＣＴ画像を得るステップを備える、請求項４８に記載の方法。
【請求項５０】
前記ＯＣＴ光源として波長掃引レーザを使用するステップをさらに備える、請求項４８に記載の方法。
【請求項５１】
前記手持ち式イメージングプローブのディスプレイに前記ＯＣＴ画像を提示するステップをさらに備える、請求項４８に記載の方法。
【請求項５２】
ＯＣＴ光ビームで前記眼を照明するステップは、前記偏光保持光ファイバの軸の一つにおいて残留ＯＣＴ光ビームを除去するために複数の巻きを有する前記偏光保持光ファイバで、前記ＯＣＴ光源からの前記ＯＣＴ光ビームを前記手持ち式イメージングプローブに結合することによって、前記ＯＣＴ光ビームで前記眼を照明するステップを備える、請求項４８に記載の方法。
【請求項５３】
広視野光干渉断層法（ＯＣＴ）画像を得る方法であって、該方法は、
手で手持ち式イメージングプローブを保持するステップと、
該手持ち式イメージングプローブの先端部に配置される光学窓を眼の角膜と接触させるステップと、
前記手持ち式イメージングプローブに光学的に結合されたＯＣＴ光源からのＯＣＴビームで該眼を照明するステップと、
走査ＭＥＭＳミラーを使用して前記ＯＣＴ光ビームの第一の部分を走査するステップと、
イメージング路にある一つ以上のレンズであって、前記ＯＣＴ画像の品質を向上させるために前記ＯＣＴ光源の波長範囲内の前記光ビームに関する光学分散に対しておよび前記手持ち式イメージングプローブに配置されたＯＣＴイメージングモジュールの撮影視野に関する光学分散に対して色消しされる一つ以上のレンズを通して前記ＯＣＴ画像を得るステップと、
を備える方法。
【請求項５４】
前記ＯＣＴ光源として波長掃引レーザを使用するステップをさらに備える、請求項５３に記載の方法。
【請求項５５】
前記手持ち式イメージングプローブのディスプレイに前記ＯＣＴ画像を提示するステップをさらに備える、請求項５３に記載の方法。
【発明の詳細な説明】
【関連出願の相互参照】
【０００１】
本出願は、  「Ａ  ＷＩＤＥ  ＦＩＥＬＤ  ＯＦ  ＶＩＥＷ  ＥＹＥ  ＩＭＡＧＩＮＧ  ＡＰＰＡＲＡＴＵＳ  ＷＩＴＨ  ＡＮ  ＯＰＴＩＣＡＬ  ＣＯＨＥＲＥＮＣＥ  ＴＯＭＯＧＲＡＰＨＹ  ＩＭＡＧＩＮＧ  ＳＹＳＴＥＭ」と題し、２０１５年６月１９日に出願された米国仮出願第６２／１８２３００号の利益を主張し、その出願は、その全体が参照によって本明細書に援用される。
【０００２】
参照による援用
以下の米国特許出願は、個々の出版物または特許出願が参照によって援用されることが明確にかつ個々に指示された場合と同程度に、その全体が参照によって本明細書に援用される。すなわち、「ＥＹＥ  ＩＭＡＧＩＮＧ  ＡＰＰＡＲＡＴＵＳ  ＷＩＴＨ  Ａ  ＷＩＤＥ  ＦＩＥＬＤ  ＯＦ  ＶＩＥＷ  ＡＮＤ  ＲＥＬＡＴＥＤ  ＭＥＴＨＯＤＳ」と題し、２０１４年２月２６日に出願された米国特許第９１５５４６６号、「ＥＹＥ  ＩＭＡＧＩＮＧ  ＡＰＰＡＲＡＴＵＳ  ＡＮＤ  ＳＹＳＴＥＭＳ」  と題し、２０１４年３月１９日に出願された米国特許出願第１４／２２０００５号、  「ＭＥＣＨＡＮＩＣＡＬ  ＦＥＡＴＵＲＥＳ  ＯＦ  ＡＮ  ＥＹＥ  ＩＭＡＧＩＮＧ  ＡＰＰＡＲＡＴＵＳ」  と題し、２０１４年６月２３日に出願された米国特許出願第１４／３１２５９０号、「Ａ  ＤＩＳＰＯＳＡＢＬＥ  ＣＡＰ  ＦＯＲ  ＡＮ  ＥＹＥ  ＩＭＡＧＩＮＧ  ＡＰＰＡＲＡＴＵＳ  ＡＮＤ  ＲＥＬＡＴＥＤ  ＭＥＴＨＯＤＳ」と題し、２０１６年１月２６日に出願された米国特許出願第１５／００７１０１号、および「Ａ  ＷＩＲＥＬＥＳＳ  ＩＭＡＧＩＮＧ  ＡＰＰＡＲＡＴＵＳ  ＡＮＤ  ＲＥＬＡＴＥＤ  ＭＥＴＨＯＤＳ」  と題し、２０１５年３月３１日に出願された米国特許出願第６２／１４１２０９号である。
【０００３】
本明細書で言及される全ての出版物および特許出願は、個々の出版物または特許出願が参照によって援用されることが明確にかつ個々に指示された場合と同程度に、その全体が参照によって本明細書に援用される。
【技術分野】
【０００４】
本開示の様々な実施形態は、概して光干渉断層法（ＯＣＴ）イメージングシステムに関し、特に広視野ＯＣＴイメージングシステムに関する。
【背景技術】
【０００５】
眼は、存命中必要不可欠な役割を果たす最も価値のあるヒトの器官の一つである。また、一般的に眼の疾患および失明は大きな問題である。さらに、子供、特に新生児の眼の疾患および視力の問題は、深刻かつ広範囲にわたる影響を及ぼし得る。乳児および幼児に関しては、脳の視覚中枢は、十分には発達していない。脳の視覚中枢が正常に発達するためには、両眼からの適切な入力が望ましい。したがって、良好な視力は、適切な物理的発達と教育的進展において重要な要素になり得る。幼児その他の眼の問題が発見されないと、不可逆な失明となり得る。早期発見と早期診断によって失明の治療と防止の最良の機会が提供される。
【０００６】
眼の検査において、眼のイメージングシステムは、ますます重要になっている。網膜および視神経の問題は、失明における主な原因の一つであるので、後眼部をイメージングできる眼のイメージングシステムは、特に有用である。さらに、広視野を有する眼のイメージングシステムは、網膜の周囲に位置する病変の評価を可能にする利点を提供し得る。
【０００７】
ＯＣＴイメージングシステムは、眼の疾患の早期診断に役立つ眼の構造情報を提供することができる。一般的に、ＯＣＴイメージングシステムでは、眼の横断面図、たとえば、ヒトの網膜の横断面図を得るために近赤外光が典型的に使用される。
【０００８】
眼に関する用途に対して、従来のＯＣＴイメージングシステムは、眼の節点から測定された約２０度×２０度の撮影視野（ＦＯＶ）を提供する。糖尿病性網膜症、血管閉塞等の多くの疾患には、より広いＦＯＶが望ましい。モザイキング技術が、より大きなＦＯＶを達成するために使用されている。しかしながら、モザイキングの大きな欠点は、患者を再び位置合わせする時間を含む、全体の量に対する測定時間の増加である。後処理も、また起こり得る位置決めエラーでより複雑になる。
【０００９】
さらに、最も一般的なＯＣＴイメージングシステムは、非接触型の卓上システムである。一般的に、ＯＣＴイメージングシステムは、処理ユニットおよび走査サブシステムを含むＯＣＴコンソール等のいくつかのサブシステムを含み得る。走査サブシステムは、イメージングしようとするサンプル、たとえば患者に対するインターフェースを提供し得る。従来のＯＣＴイメージングシステムは、典型的には固定されたインターフェースを有し、患者は、ＯＣＴ画像を得るためにＯＣＴイメージングシステムからの光の位置と位置合わせされる。たとえば、従来のインターフェースは、患者用の顎レストおよびサンプルをＯＣＴイメージングモジュールと位置合わせするための機構を有する。このシステムで有用なＯＣＴ画像を得るためには、典型的には、患者が協力的で動くことができ体を起こした状態である必要である。
【００１０】
しかしながら、従来の非接触型ＯＣＴイメージングシステムは、患者の協力を必要とし、幼児および乳児はオペレータの指示に従うことができないので、これらの幼児および乳児では実行が困難である。寝たきりまたは非協力的な大人の患者に対しても、従来の非接触ＯＣＴシステムは機能しない。さらに、従来の非接触ＯＣＴシステムでは、同様に、動物の眼のＯＣＴ画像を得ることができない。
【００１１】
接触型ＯＣＴイメージングプローブが最近提案されている。たとえば、コンタクトレンズを有するポータブルＯＣＴイメージングプローブが特許文献１に提案されている。ポータブルプローブは、乳児または子供、非協力的な大人や寝たきりの大人、動物等の網膜および角膜のイメージングにおいて有用であり得る。コンタクトプローブによって、プローブと患者との間の物理的接触が行われ、したがって、プローブの先端部は、眼で見てサンプル上のイメージングの所望の位置に配置されるので、位置合わせが比較的に単純であり得る。保護カバーは、プローブの汚染および異なる患者間の相互汚染の可能性を減少するために、プローブ上、たとえばプローブの端部上に設けられる。しかしながら、上記の特許文献１における光学設計を含む提案された接触型ＯＣＴイメージングプローブは、いくつかの問題がある。たとえば、提案された接触型ＯＣＴイメージングプローブにおける達成可能なＦＯＶは限られている。特許文献１において、光源は、イメージング路に沿って配置される。照明路とイメージング路は、同じ光路を共有する。そのような設計では、角膜からの反射光が網膜からの反射光よりもかなり強くなる。この問題は、より広い角度ではより深刻になり、したがって、提案された接触型ＯＣＴイメージングプローブの実際の達成可能なＦＯＶが限られることになる。他の例では、提案された接触型ＯＣＴイメージングプローブは、さらに、ポータブルプローブをコンソールに接続するためのファイバの動きに対する感度が高く、かつ操作中にファイバの動きによって引き起こされる歪みを有する。ファイバの動きの影響は、ＯＣＴ画像の安定性と光学品質を顕著に減少し得る。
【先行技術文献】
【特許文献】
【００１２】
【特許文献１】米国特許第９１７３５６３号明細書
【発明の概要】
【発明が解決しようとする課題】
【００１３】
乳児、幼児、寝たきりの患者、動物等に適する広いＦＯＶを備えた接触型ＯＣＴイメージングシステムを開発することが急務となっている。
【課題を解決するための手段】
【００１４】
本開示は、広視野光干渉断層法（ＯＣＴ）イメージングシステムに関する。本開示の様々な実施形態は、広視野を有する光干渉断層法（ＯＣＴ）イメージングシステムを説明する。このＯＣＴイメージングシステムは、手持ち式イメージングプローブを備えることができる。この手持ち式イメージングプローブは、先端部を有するプローブハウジング、第一のイメージングモジュール、たとえば、カラーイメージングモジュール、および第二のイメージングモジュールであるＯＣＴイメージングモジュールを備えることができる。前記第一のイメージングモジュールは、第一の照明路と第一のイメージング路を有することができる。前記第一のイメージングモジュールは、ハウジング内に配置される第一の光源を備えることができ、前記第一の光源は、第一の波長範囲を有することができる。前記第一のイメージングモジュールは、前記先端部に配置されかつ眼の角膜と接触するように構成される光学窓を備えることができる。前記光学窓は、約３ｍｍから約１８ｍｍの曲率半径を有する凹面状前面を有することができる。前記光学窓は、直接的に、または使い捨て可能なキャップを介して間接的に、前記角膜と接触することができる。屈折率整合ジェルが、前記光学窓と前記角膜との間に塗布できる。前記光学窓は、前記眼の前記角膜の曲率半径と整合するように構成される。前記第一のイメージングモジュールは、複数のセグメントを有しかつ前記光学窓の周辺部分の背後に配置された光調整要素を備えることができ、この光調整要素は、前記第一の照明路を介して前記眼を照明するために前記第一の光源の第一の光ビームを方向制御するように構成される。前記第一のイメージングモジュールは、この第一のイメージングモジュールの第一の焦点を調整するための第一の合焦レンズと、前記第一のイメージング路を介して前記眼の第一の画像を受け取るように構成された画像センサを備えることができる。前記第一のイメージング路は、前記第一の照明路から分離されている。前記第一のイメージング路は、前記第一の照明路とは重ならない。前記光調整要素は、この光調整要素を出る実質的に全ての光を前記第一のイメージングシステムの入射瞳の外側に向けるように構成される。前記第一のイメージングモジュールのさらなる細部は、米国特許第９１５５４６６号明細書に開示されており、この特許は、その全体が参照によって本明細書に援用される。
【００１５】
前記手持ち式イメージングプローブは、第二の照明路と第二のイメージング路を有することができるＯＣＴイメージングモジュールを備えることができる。このＯＣＴイメージングモジュールは、第二の光源からの第二の光ビームの第一の部分を走査するように構成された走査ＭＥＭＳミラーを備えることができる。前記第二の光源は、広帯域光源等のＯＣＴ光源であってもよい。いくつかの実施形態では、前記第二の光源は、高速波長掃引速度を提供できる波長掃引レーザである。前記走査ＭＥＭＳミラーは、前記第一の照明路および前記第一のイメージング路の外側に配置される。前記ＯＣＴイメージングモジュールは、前記第一のイメージング路に配置され、前記第一の光ビームを透過しかつ前記第二の光ビームの前記第一の部分を反射するように構成されたビーム分割ダイクロイックミラー、および前記第二のイメージングモジュールの第二の焦点を調整するための第二の合焦レンズを備えることができる。
【００１６】
前記ＯＣＴイメージングモジュールは、広視野を有することができる。前記眼の節点から測定された撮影視野は、特定の実施形態では、単一ボリューム取得において少なくとも６０度×６０度であり１８０度×１８０度まででよい。いくつかの実施形態では、前記撮影視野は、単一ボリューム取得において少なくとも１２０度×１２０度であるが１８０度×１８０度を超えない。いくつかの実施形態では、前記撮影視野は、単一ボリューム取得において少なくとも１３０度×１３０度であるが１８０度×１８０度を超えない。
【００１７】
一般的に、前記ＯＣＴイメージングシステムは、前記手持ち式イメージングプローブおよびコンソールを備えることができる。一般的に、このイメージングプローブは、第一のイメージングモジュール、たとえば光カラーイメージングモジュールまたは全視野イメージングモジュール、およびＯＣＴイメージングモジュールを備えることができる。一般的に、前記コンソールは、ＯＣＴエンジンおよび走査ミラーコントローラを備えることができる。ＯＣＴエンジンは、ＯＣＴ干渉計、ＯＣＴ光源（たとえば、８００ｎｍから１１００ｎｍまでの波長を有する広帯域光源）、光検出器、データ収集システム、電源、プロセッサ、およびディスプレイを備えることができる。前記ＯＣＴエンジンは、時間領域ＯＣＴエンジン（ＴＤ−ＯＣＴ）、フーリエ領域ＯＣＴエンジン（ＦＤ−ＯＣＴ）、または波長掃引光源フーリエ領域ＯＣＴエンジン（ＳＳ−ＦＤ−ＯＣＴ）であり得る。
【００１８】
本明細書では、広視野ＯＣＴイメージングシステムが開示される。一般的に、前記ＯＣＴイメージングシステムは、手持ち式イメージングプローブを備えることができる。前記手持ち式イメージングプローブは、先端部を有するプローブハウジング、第一のイメージングモジュールおよびＯＣＴイメージングモジュールを備えることができる。前記第一のイメージングモジュールは、前記プローブハウジングの主要部分に配置できる。前記ＯＣＴイメージングモジュールは、前記プローブハウジングの側部に配置できる。
【００１９】
前記第一のイメージングモジュールは、第一の照明路および第一のイメージング路を備えることができ、前記第一のイメージング路は、前記第一の照明路から分離されている。前記第一の照明路は、前記プローブハウジングの内側に配置された第一の光源、および複数のセグメントを有する光調整要素を備える。前記光調整要素は、光学窓の周辺部分の背後に配置される。前記光調整要素は、前記第一の光源からの第一の光ビームを受光しかつ前記第一の光ビームを眼に対して方向制御するように構成される。前記第一のイメージング路は、前記プローブハウジングの前記先端部に配置され、前記眼の角膜と接触するように構成された光学窓を備えることができる。この光学窓は、凹面状前面を有することができる。前記第一のイメージング路は、前記第一のイメージングモジュールの焦点を調整するための第一の合焦レンズを含む一つ以上のレンズを備えることができる。前記第一のイメージング路は、前記眼の第一の画像を受け取るように構成された画像センサをさらに備えることができる。
【００２０】
前記ＯＣＴイメージングモジュールは、第二の照明路および第二のイメージング路を備えることができる。この第二の照明路およびこの第二のイメージング路は、走査ＭＥＭＳミラーおよびビーム分割ダイクロイックミラーを備えることができる。この走査ＭＥＭＳミラーは、ＯＣＴ光源からのＯＣＴ光ビームの第一の部分を走査するように構成される。前記走査ＭＥＭＳミラーは、前記第一の照明路および前記第一のイメージング路の外側に配置できる。前記ビーム分割ダイクロイックミラーは、前記第一のイメージング路に配置でき、前記第一の光ビームを透過しかつ前記ＯＣＴ光ビームの前記第一の部分を反射するように構成できる。前記第二の照明路および前記第二のイメージング路は、前記ＯＣＴイメージングモジュールの焦点を調整するための第二の合焦レンズをさらに備えることができる。
【００２１】
いくつかの実施形態では、前記走査ＭＥＭＳミラーは、前記第一のイメージングシステムの入射瞳の光学的共役面に配置される。いくつかの実施形態では、前記ＯＣＴイメージングモジュールの開口の実像は、前記眼の後眼部がイメージングされる時に、前記眼の水晶体の前面近くに配置される。
【００２２】
いくつかの実施形態では、前記ＯＣＴイメージングシステムは、第一のイメージングレンズ、および前記イメージング路に配置されかつ前記光学窓と光学的に位置合わせされた第一のリレーレンズをさらに備えることができ、前記ビーム分割ダイクロイックミラーが前記第一のリレーレンズの背後に配置される。前記第二のイメージング路および前記第一のイメージング路は、前記第一のリレーレンズまでに限って光学コンポーネントを共有する。
【００２３】
いくつかの実施形態では、前記ＯＣＴイメージングモジュールの撮影視野は、単一ボリューム取得において少なくとも１２０度×１２０度であるが１８０度×１８０度を超えない。いくつかの実施形態では、前記第一の光源は、４５０ｎｍから７００ｎｍの間であって、４５０ｎｍと７００ｎｍを含む第一の波長範囲を有する。いくつかの実施形態では、第一の光源は、近赤外光範囲において７００ｎｍから８４０ｎｍまでの第一の波長範囲を有する。
【００２４】
いくつかの実施形態では、前記光学窓および前記ＯＣＴイメージングモジュールは、前記手持ち式イメージングプローブの取り外し可能な前部イメージングモジュールに配置され、この取り外し可能な前部イメージングモジュールは、工具を使用することなく、前記手持ち式イメージングプローブから繰り返し取り外されかつそれに再び取り付けられるように構成される。
【００２５】
いくつかの実施形態では、前記第一の合焦レンズを含む前記第一のイメージング路の前記光学レンズは、前記第一の光源の波長範囲内の前記第一の光ビームに関する光学分散に対して、および前記第一のイメージングモジュールの撮影視野に関する光学分散に対して色消しされる。いくつかの実施形態では、前記第二の合焦レンズを含む前記第二のイメージング路の前記光学レンズは、前記ＯＣＴ光源の波長範囲内の前記ＯＣＴ光ビームに関する光学分散に対して、および前記ＯＣＴイメージングモジュールの撮影視野に関する光学分散に対して色消しされる。
【００２６】
いくつかの実施形態では、前記ＯＣＴイメージングシステムは、コンソールをさらに備えることができ、このコンソールは、前記ＯＣＴ光源、干渉計、および第一の光ファイバを備え、前記第一の光ファイバは、前記コンソールおよび前記手持ち式イメージングプローブに接続され、かつ前記干渉計のサンプルアームを形成するために前記ＯＣＴ光源からの前記ＯＣＴ光ビームの前記第一の部分を前記手持ち式イメージングプローブに結合するように構成される。いくつかの実施形態では、前記ＯＣＴ光源は、波長掃引レーザである。いくつかの実施形態では、前記コンソールは、前記ＯＣＴ光ビームの第二の部分を前記干渉計の参照アームに結合するように構成された第二の光ファイバをさらに備え、前記参照アームは、前記コンソール内に配置される。いくつかの実施形態では、前記手持ち式イメージングプローブは、ＯＣＴ干渉計の参照アームをさらに備え、その光ビームは、前記サンプルアームのための同じ第一の光ファイバを伝送され、前記ＯＣＴ光ビームの前記第二の部分は、前記第一の光ファイバによって前記参照アームに結合される。
【００２７】
いくつかの実施形態では、前記ＯＣＴイメージングシステムは、前記干渉計からのデータを処理しかつ前記ＯＣＴイメージングモジュールから前記眼のＯＣＴ画像を生成するように構成されたプロセッサをさらに備えることができる。いくつかの実施形態では、前記手持ち式イメージングプローブは、無線送信器、無線受信器およびディスプレイをさらに備えることができ、このディスプレイは、前記第一の画像と前記ＯＣＴ画像を同時に提示すように構成される。
【００２８】
いくつかの実施形態では、前記第一の光ファイバは、前記ＯＣＴ画像の品質を安定化して向上させるために前記第一の光ファイバの動きの影響を減少するために前記ＯＣＴ光ビームの偏光を維持するように構成される。いくつかの実施形態では、前記第一の光ファイバは、前記光ビームが一つの直線偏光のみで前記第一の光ファイバの内を伝わるように前記光ファイバの軸の一つにおける残留光ビームを除去するために複数の巻きを備える。
【００２９】
いくつかの実施形態では、前記ＯＣＴイメージングシステムは、前記コンソール内に配置された走査ＭＥＭＳミラーコントローラおよび前記コンソールを前記手持ち式イメージングプローブに接続する電気ケーブルをさらに備えることができ、前記走査ＭＥＭＳミラーコントローラおよび前記走査ＭＥＭＳミラーは、前記電気ケーブルを介して同期される。
【００３０】
いくつかの実施形態では、前記ＯＣＴイメージングシステムは、前記コンソール内に配置された走査ＭＥＭＳミラーコントローラ、前記コンソール内に配置されかつ電気信号を光信号に変換するように構成された電気−光コンバータ、前記手持ち式イメージングプローブ内に配置されかつ前記光信号を前記電気信号に戻すように変換するように構成された光−電気コンバータ、並びに前記手持ち式イメージングプローブおよび前記コンソールに接続された第三の光ファイバをさらに備えることができ、前記第三の光ファイバが前記光信号を送信するように構成され、前記走査ミラーコントローラ、走査ミラードライバおよび前記走査ＭＥＭＳミラーが前記第三の光ファイバを介して同期される。
【００３１】
いくつかの実施形態では、前記ＯＣＴイメージングシステムは、一対の無線トランスポンダをさらに備えることができ、一方の無線トランスポンダは前記コンソールに配置され、他方の無線トランスポンダは前記手持ち式イメージングプローブに配置され、前記走査ミラーコントローラおよび前記走査ＭＥＭＳミラーは、前記無線トランスポンダを介して無線で同期される。
【００３２】
いくつかの実施形態では、前記ＯＣＴイメージングシステムは、前記コンソールに配置された第三の光源および前記コンソールに配置されたビームコンバイナをさらに備えることができ、前記ビームコンバイナは、前記ＯＣＴ光源と前記第三の光源の両方を前記第一の光ファイバを介して前記手持ち式イメージングプローブに結合するように構成され、前記第三の光源は第三の光ビームを有し、前記第三の光ビームは第三の照明路と第三のイメージング路とを有し、前記第三の照明路は前記ＯＣＴイメージングモジュールの前記第二の照明路に沿っており、前記第三のイメージング路は前記第一のイメージングモジュールの前記第一のイメージング路に沿っており、前記ビーム分割ダイクロイックミラーは、前記第三の光ビームを部分的に反射しかつ部分的に透過するように構成されている。いくつかの実施形態では、前記第三の光ビームの軌跡は、前記ＯＣＴ光ビームのイメージング位置の位置決めを提供しかつ前記第二の合焦レンズを制御するためにフィードバックを提供するように構成され、前記第一の合焦レンズの第一の調整および前記第二の合焦レンズの第二の調整は前記フィードバックを介して同期される。
【００３３】
本開示の一態様は、広視野光干渉断層法（ＯＣＴ）イメージングシステムである。この広視野ＯＣＴシステムは、手持ち式イメージングプローブを備えることができる。この手持ち式イメージングプローブは、ＯＣＴイメージングモジュールを有することができる。この手持ち式イメージングプローブは、先端部を有するプローブハウジングおよびこの先端部に配置された光学窓を備えることができる。この光学窓は、凹面状前面を有することができ、かつ眼の角膜と接触するように構成される。前記手持ち式イメージングプローブは、光源からの光ビームの第一の部分を走査するように構成された走査ＭＥＭＳミラーをさらに備えることができる。前記手持ち式イメージングプローブは、イメージング路に一つ以上のレンズをさらに備えることができる。前記広視野ＯＣＴシステムは、コンソールを備えることができる。このコンソールは、前記光源、干渉計、プロセッサ、走査ＭＥＭＳミラーコントローラおよびデータリンクを備えることができる。前記干渉計は、少なくとも一つの偏光保持ファイバを備えることができ、この少なくとも一つの偏光保持ファイバは、ＯＣＴ画像の品質を安定化しかつ向上するために、前記光源からの光ビームを前記手持ち式イメージングプローブに結合しかつ動きの影響を減少するように構成できる。前記プロセッサは、前記干渉計からのデータを処理しかつ前記ＯＣＴイメージングモジュールから前記眼の前記ＯＣＴ画像を生成するように構成できる。前記データリンクは、前記コンソールおよび前記手持ち式イメージングプローブに接続され、前記走査ＭＥＭＳミラーを前記光源および前記走査ＭＥＭＳミラーコントローラと同期するように構成される。
【００３４】
いくつかの実施形態では、前記ＯＣＴイメージングモジュールの撮影視野は、単一ボリューム取得において少なくとも１２０度×１２０度であるが１８０度×１８０度を超えない。
【００３５】
いくつかの実施形態では、前記一つ以上のレンズは、前記光源の波長範囲内の前記光ビームに関する光学分散に対して色消しされる。いくつかの実施形態では、前記一つ以上のレンズは、前記ＯＣＴイメージングモジュールの撮影視野に関する光学分散に対して色消しされる。いくつかの実施形態では、前記光源は、掃引レーザである。
【００３６】
いくつかの実施形態では、前記一つ以上の偏光保持ファイバは、前記光ビームが一つの直線偏光のみで伝わるように、該偏光保持ファイバの軸の内の一つにおける残留ＯＣＴ光ビームを除去するために複数の巻きを備える。
【００３７】
いくつかの実施形態では、前記データリンクは電気ケーブルである。いくつかの実施形態では、前記データリンクは第二の光ファイバケーブルである。いくつかの実施形態では、前記データリンクは、無線である。
【００３８】
いくつかの実施形態では、前記ＯＣＴイメージングシステムは、無線送信器、無線受信器およびディスプレイをさらに備えることができ、このディスプレイは、前記ＯＣＴ画像を提示するように構成される。
【００３９】
本明細書に開示された様々な実施形態は、広視野光干渉断層法（ＯＣＴ）イメージングシステムを備える。この広視野ＯＣＴシステムは、手持ち式イメージングプローブを備えることができる。この手持ち式イメージングプローブは、ＯＣＴイメージングモジュールを有することができる。前記手持ち式イメージングプローブは、先端部を有するプローブハウジングおよびこの先端部に配置された光学窓を備えることができる。前記光学窓は、凹面状前面を有することができ、かつ眼の角膜と接触するように構成される。前記手持ち式イメージングプローブは、光源からの光ビームの第一の部分を走査するように構成された走査ＭＥＭＳミラーをさらに備えることができる。前記手持ち式イメージングプローブは、イメージング路に一つ以上のレンズをさらに備えることができ、前記一つ以上のレンズは、前記光源の波長範囲内の前記光ビームに関する光学分散に対して、および前記ＯＣＴイメージングモジュールの撮影視野に関する光学分散に対して色消しされる。前記ＯＣＴシステムは、コンソールを備えることができる。このコンソールは、前記光源、干渉計、プロセッサ、走査ＭＥＭＳミラーコントローラおよびデータリンクを備えることができる。前記プロセッサは、前記干渉計からのデータを処理しかつ前記ＯＣＴイメージングモジュールから前記眼の前記ＯＣＴ画像を生成するように構成できる。前記データリンクは、前記コンソールおよび前記手持ち式イメージングプローブに接続され、前記走査ＭＥＭＳミラーを前記光源および前記走査ＭＥＭＳミラーコントローラに同期するように構成される。
【００４０】
いくつかの実施形態では、前記ＯＣＴイメージングモジュールの撮影視野は、単一ボリューム取得において少なくとも１２０度×１２０度であるが１８０度×１８０度を超えない。いくつかの実施形態では、前記光源は波長掃引レーザである。いくつかの実施形態では、前記データリンクは、電気ケーブルである。いくつかの実施形態では、前記データリンクは別の光ファイバである。いくつかの実施形態では、前記データリンクは無線である。いくつかの実施形態では、前記ＯＣＴイメージングシステムは、無線送信器、無線受信器およびディスプレイをさらに備えることができ、このディスプレイは、前記ＯＣＴ画像を提示するように構成される。
【００４１】
本明細書に開示される様々な実施形態は、広視野光干渉断層法（ＯＣＴ）画像を得る方法を説明する。当該方法は、手で手持ち式イメージングプローブを保持するステップと、前記イメージングプローブの先端部に配置された光学窓を眼の角膜と接触させるステップと、第一の光源から光調整要素を介して伝送される第一の光ビームで前記眼を照明するステップとを備えることができる。前記光調整要素は、第一の照明路に沿って前記光学窓の周辺部分の背後に配置される。前記方法は、前記光調整要素で前記第一の光ビームを方向制御するステップ、および前記眼の第一の画像を第一のイメージング路を介して得るステップさらに備え、この第一のイメージング路は、前記第一の照明路から分離されている。前記方法は、ＯＣＴ光源からのＯＣＴ光ビームを走査ＭＥＭＳミラーで走査することをさらに備え、前記走査ＭＥＭＳミラーは、前記第一の照明路および前記第一のイメージング路の外側に配置される。前記方法は、前記ＯＣＴ光ビームの前記第一の部分をビーム分割ダイクロイックミラーから前記眼に反射するステップと、前記眼のＯＣＴ画像を得るステップとをさらに備える。
【００４２】
いくつかの実施形態では、前記眼の第一の画像を得るステップは、前記第一の光源の波長範囲内の前記第一の光ビームに関する光学分散に対しておよび前記第一の画像の撮影視野に関する光学分散に対して色消しされる一つ以上のレンズで前記眼の前記第一の画像を得るステップを備える。
【００４３】
本方法は、前記ＯＣＴ光源の波長範囲内の前記ＯＣＴ光ビームに関する光学分散に対しておよび前記ＯＣＴ画像の撮影視野に関する光学分散に対して色消しされる一つ以上のレンズで前記眼の前記ＯＣＴ画像を得るステップを含む、前記眼の前記ＯＣＴ画像を得ることをさらに備えることができる。前記方法は、前記ＯＣＴ光源として波長掃引レーザを使用するステップをさらに備えることができる。前記方法は、前記手持ち式イメージングプローブのディスプレイおよびコンソールに前記第一の画像と前記ＯＣＴ画像を同時に提示するステップをさらに備えることができる。
【００４４】
前記方法は、前記ＯＣＴ画像の品質を安定化して向上させるために動きの影響を減少するために、前記ＯＣＴ光源からの前記ＯＣＴ光ビームを偏光保持光ファイバで前記手持ち式イメージングプローブに結合するステップをさらに備えることができる。
【００４５】
前記方法は、第三の光源からの第三の光ビームで前記ＯＣＴ光ビームのイメージング位置の位置決めを提供するステップをさらに備え、前記第三の光ビームは、前記ＯＣＴイメージングモジュールの照明路に沿う第三の照明路と前記第一のイメージングモジュールの前記第一のイメージング路に沿う第三のイメージング路とを有する。前記方法は、前記第一の画像の第一の焦点調整および前記ＯＣＴ画像の第二の焦点調整を前記第三の光ビームの軌跡からのフィードバックと同期するステップをさらに備えることができる。
【００４６】
本開示の一態様は、広視野光干渉断層法（ＯＣＴ）画像を得る方法である。この方法は、手で手持ち式イメージングプローブを保持するステップと、前記イメージングプローブの先端部に配置された光学窓を眼の角膜と接触させるステップとを備えることができる。この方法は、ＯＣＴ光源からのＯＣＴ光ビームで前記眼を照明するステップをさらに備えることができる。前記ＯＣＴ光源は、動きの影響を減少するためおよびＯＣＴ画像の品質を向上させるために偏光保持ファイバによって前記手持ち式イメージングプローブに結合できる。この方法は、走査ＭＥＭＳミラーを使用して前記ＯＣＴ光ビームの第一の部分を走査するステップと、前記眼の前記ＯＣＴ画像を得るステップとをさらに備えることができる。
【００４７】
いくつかの実施形態では、前記眼の前記ＯＣＴ画像を得るステップは、前記ＯＣＴ光源の波長範囲内の前記ＯＣＴ光ビームに関する光学分散に対しておよび前記ＯＣＴ画像の撮影視野に関する光学分散に対して色消しされる一つ以上のレンズで前記眼の前記ＯＣＴ画像を得るステップを備える。いくつかの実施形態では、前記方法は、前記ＯＣＴ光源として波長掃引レーザを使用するステップをさらに備えることができる。いくつかの実施形態では、この方法は、前記手持ち式イメージングプローブのディスプレイに前記ＯＣＴ画像を提示するステップをさらに備えることができる。
【００４８】
この方法は、前記偏光保持光ファイバの軸の一つにおいて残留ＯＣＴ光ビームを除去するために複数の巻きを有する前記偏光保持光ファイバで前記ＯＣＴ光源からのＯＣＴ光ビームを前記手持ち式イメージングプローブに結合することによって、前記ＯＣＴ光ビームで前記眼を照明するステップを含む、前記ＯＣＴ光ビームで前記眼を照明するステップをさらに備えることができる。
【００４９】
本開示の様々な実施形態は、広視野光干渉断層法（ＯＣＴ）画像を得る方法を含む。この方法は、手で手持ち式イメージングプローブを保持するステップと、前記手持ち式イメージングプローブの先端に配置された光学窓を眼の角膜と接触させるステップとを備えることができる。この方法は、前記手持ち式イメージングプローブに光学的に結合されたＯＣＴ光源からのＯＣＴ光ビームで前記眼を照明するステップをさらに備えることができる。この方法は、走査ＭＥＭＳミラーを使用して前記ＯＣＴ光ビームの第一の部分を走査するステップをさらに備えることができる。この方法は、イメージング路の一つ以上のレンズを介して前記ＯＣＴ画像を得るステップをさらに備えることができ、前記一つ以上のレンズは、前記ＯＣＴ画像品質を向上するために、前記ＯＣＴ光源の波長範囲内の前記光ビームに関する光学分散に対して、および前記手持ち式イメージングプローブに配置されたＯＣＴイメージングモジュールの撮影視野に関する光学分散に対して色消される。この方法は、前記ＯＣＴ光源として波長掃引レーザを使用するステップをさらに備えることができる。この方法は、前記手持ち式イメージングプローブのディスプレイに前記ＯＣＴ画像を提示するステップをさらに備えることができる。
【００５０】
一般的に、眼科での用途に限らず様々な用途のための広視野ＯＣＴイメージングシステムが本明細書で開示される。たとえば、このＯＣＴイメージングシステムは、耳、鼻またはその他の人体の部位、または様々な他のサンプルをイメージングするために使用することができる。このＯＣＴイメージングシステムは、手持ち式イメージングプローブおよびコンソールを備えることができる。この手持ち式イメージングプローブは、先端部を有するプローブハウジング、第一のイメージングモジュールおよびＯＣＴイメージングモジュールを備えることができる。この第一のイメージングモジュールは、前記プローブハウジングの主要部分に配置できる。前記ＯＣＴイメージングモジュールは、前記プローブハウジングの側部に配置できる。
【００５１】
前記第一のイメージングモジュールは、第一の照明路および第一のイメージング路を備えることができ、この第一のイメージング路は、この第一の照明路から分離されている。この第一の照明路は、前記プローブハウジングの内側に配置された第一の光源、および複数のセグメントを有する光調整要素を備える。前記光調整要素は、光学窓の周辺部分の背後に配置される。この光調整要素は、前記第一の光源からの第一の光ビームを受光しかつ前記第一の光ビームをサンプルに対して方向制御するように構成される。前記第一のイメージング路は、前記プローブハウジングの前記先端部に配置され、前記サンプルと接触するように構成された光学窓を備えることができる。この光学窓は、観察対象の前記サンプルの形状に整合する前面を有することができる。前記第一のイメージング路は、前記第一のイメージングモジュールの焦点を調整するための第一の合焦レンズを含む一つ以上のレンズを備えることができる。第一のイメージング路は、前記サンプルの第一の画像を受け取るように構成された画像センサをさらに備えることができる。前記ＯＣＴイメージングモジュールは、第二の照明路および第二のイメージング路を備えることができる。前記第二の照明路および前記第二のイメージング路は、走査ＭＥＭＳミラーおよびビーム分割ダイクロイックミラーを備えることができる。この走査ＭＥＭＳミラーは、前記ＯＣＴ光源からのＯＣＴ光ビームの第一の部分を走査するように構成される。前記走査ＭＥＭＳミラーは、前記第一の照明路および前記第一のイメージング路の外側に配置できる。前記ビーム分割ダイクロイックミラーは、前記第一のイメージング路に配置でき、前記第一の光ビームを透過しかつ前記ＯＣＴ光ビームの前記第一の部分を反射するように構成できる。前記第二の照明路および前記第二のイメージング路は、前記ＯＣＴイメージングモジュールの焦点を調整するための第二の合焦レンズをさらに備えることができる。
【００５２】
本開示の一態様は、広視野光干渉断層法（ＯＣＴ）イメージングシステムである。当該広視野ＯＣＴシステムは、手持ち式イメージングプローブを備えることができる。この手持ち式イメージングプローブは、ＯＣＴイメージングモジュールを有することができる。前記手持ち式イメージングプローブは、先端部を有するプローブハウジングおよび前記先端部に配置された光学窓を備えることができる。この光学窓は、サンプルの形状に整合する前面を有することができかつ前記サンプルと接触するように構成される。前記手持ち式イメージングプローブは、光源からの光ビームの第一の部分を走査するように構成された走査ＭＥＭＳミラーをさらに備えることができる。前記手持ち式イメージングプローブは、イメージング路に一つ以上のレンズをさらに備えることができる。前記広視野ＯＣＴシステムは、コンソールを備えることができる。このコンソールは、前記光源、干渉計、プロセッサ、走査ＭＥＭＳミラーコントローラおよびデータリンクを備えることができる。前記干渉計は、少なくとも一つの偏光保持ファイバを備えることができ、前記少なくとも一つの偏光保持ファイバは、ＯＣＴ画像の品質を安定化しかつ向上するために、前記光源からの光ビームを前記手持ち式イメージングプローブに結合しかつ動きの影響を減少するように構成できる。前記プロセッサは、前記干渉計からのデータを処理し、かつ前記ＯＣＴイメージングモジュールから前記サンプルの前記ＯＣＴ画像を生成するように構成できる。前記データリンクは、前記コンソールおよび前記手持ち式イメージングプローブに接続され、前記走査ＭＥＭＳミラーを前記光源および前記走査ＭＥＭＳミラーコントローラと同期するように構成される。
【００５３】
本開示の他の態様は、広視野光干渉断層法（ＯＣＴ）イメージングシステムである。当該広視野ＯＣＴイメージングモジュールは、手持ち式イメージングプローブを備えることができる。この手持ち式イメージングプローブは、ＯＣＴイメージングモジュールを有することができる。この手持ち式イメージングプローブは、先端部を有するプローブおよび前記先端部に配置された光学窓を備えることができる。この光学窓は、サンプルの形状に整合する前面を有することができ、かつ前記サンプルと接触するように構成される。前記手持ち式イメージングプローブは、光源からの光ビームの第一の部分を走査するように構成された走査ＭＥＭＳミラーをさらに備えることができる。前記手持ち式イメージングプローブは、イメージング路に一つ以上のレンズをさらに備えることができ、前記一つ以上のレンズは、前記光源の波長範囲内の前記光ビームに関する光学分散に対して、および前記ＯＣＴイメージングモジュールの撮影視野に関する光学分散に対して色消しされる。前記ＯＣＴシステムは、コンソールを備えることができる。前記コンソールは、前記光源、干渉計、プロセッサ、走査ＭＥＭＳミラーコントローラおよびデータリンクを備えることができる。前記プロセッサは、前記干渉計からのデータを処理し、かつ前記ＯＣＴイメージングモジュールから前記サンプルの前記ＯＣＴ画像を生成するように構成できる。前記データリンクは、前記コンソールおよび前記手持ち式イメージングプローブに接続され、前記走査ＭＥＭＳミラーを前記光源および前記走査ＭＥＭＳミラーコントローラに同期するように構成される。
【００５４】
本開示の一態様は、広視野光干渉断層法（ＯＣＴ）画像を得る方法である。当該方法は、手で手持ち式イメージングプローブを保持するステップと、前記手持ち式イメージングプローブの先端部に配置された光学窓をサンプルと接触させるステップと、第一の光源から光調整要素を介して伝送された第一の光ビームで前記サンプルを照明するステップとを備えることができる。前記光調整要素は、第一の照明路に沿って前記光学窓の周辺部分の背後に配置される。前記方法は、前記光調整要素で前記第一の光ビームを方向制御するステップ、および前記サンプルの第一の画像を第一のイメージング路を介して得るステップをさらに備え、この第一のイメージング路は、前記第一の照明路から分離されている。前記方法は、ＯＣＴ光源からのＯＣＴ光ビームを走査ＭＥＭＳミラーで走査することをさらに備え、この走査ＭＥＭＳミラーは、前記第一の照明路および前記第一のイメージング路の外側に配置される。前記方法は、前記ＯＣＴ光ビームの前記第一の部分をビーム分割ダイクロイックミラーから前記サンプルに反射するステップと、前記サンプルのＯＣＴ画像を得るステップとをさらに備える。
【００５５】
本開示の一態様は、広視野光干渉断層法（ＯＣＴ）画像を得る方法である。当該方法は、手で手持ち式イメージングプローブを保持するステップと、前記イメージングプローブの先端部に配置された光学窓をサンプルと接触させるステップとを備えることができる。本方法は、ＯＣＴ光源からのＯＣＴ光ビームで前記サンプルを照明するステップをさらに備えることができる。前記ＯＣＴ光源は、動きの影響を減少しかつＯＣＴ画像品質を向上するために偏光保持ファイバによって前記手持ち式イメージングプローブに結合されることができる。本方法は、走査ＭＥＭＳミラーを使用して前記ＯＣＴ光ビームの第一の部分を走査するステップと、前記サンプルの前記ＯＣＴ画像を得るステップさらに備えることができる。
【００５６】
本開示の別の一態様は、広視野光干渉断層法（ＯＣＴ）画像を得る方法である。当該方法は、手で手持ち式イメージングプローブを保持するステップと、前記イメージングプローブの先端部に配置された光学窓をサンプルと接触させるステップとを備えることができる。本方法は、前記手持ち式イメージングプローブに光学的に結合されたＯＣＴ光源からのＯＣＴ光ビームで前記サンプルを照明するステップをさらに備えることができる。当該方法は、走査ＭＥＭＳミラーを使用して前記ＯＣＴ光ビームの第一の部分を走査するステップをさらに備えることができる。本方法は、イメージング路の一つ以上のレンズを介して前記ＯＣＴ画像を得るステップをさらに備えることができ、前記一つ以上のレンズは、前記ＯＣＴ画像品質を向上するために、前記ＯＣＴ光源の波長範囲内の前記光ビームに関する光学分散に対しておよび前記手持ち式イメージングプローブに配置されたＯＣＴイメージングモジュールの撮影視野に関する光学分散に対して色消しされる。当該方法は、前記ＯＣＴ光源として波長掃引レーザを使用するステップをさらに備えることができる。当該方法は、前記手持ち式イメージングプローブのディスプレイに前記ＯＣＴ画像を提示するステップをさらに備えることができる。
【図面の簡単な説明】
【００５７】
【図１】図１は、手持ち式イメージングプローブおよびコンソールを備える広視野ＯＣＴイメージングシステムの側面図である。
【図２Ａ】図２Ａは、本開示の一実施形態に係る、後眼部がイメージングされる、図１の広視野ＯＣＴイメージングシステムの一例の光学設計の概略図である。
【図２Ｂ】図２Ｂは、図２Ａの広視野ＯＣＴイメージングシステムの手持ち式イメージングプローブの先端部の側面図である。
【図２Ｃ】図２Ｃは、図２Ａの広視野ＯＣＴイメージングシステムの第一のイメージングモジュールにおける光調整要素の斜視図である。
【図３】図３は、本開示の他の一実施形態に係る、後眼部がイメージングされる、図１の広視野ＯＣＴイメージングシステムの他の一例の光学設計の概略図である。
【図４】図４は、本開示の一実施形態に係る、図１の広視野ＯＣＴイメージングシステムの一例の光ファイバ干渉計の概略図である。
【図５Ａ】図５Ａは、本開示の一実施形態に係る、図１の広視野ＯＣＴイメージングシステムのコンソールと手持ち式イメージングプローブを接続するためのデータリンクとしての電気ケーブルの概略図である。
【図５Ｂ】図５Ｂは、本開示の他の一実施形態に係る、図１の広視野ＯＣＴイメージングシステムのコンソールと手持ち式イメージングプローブを接続するためのデータリンクとしての第二の光ファイバケーブルの概略図である。
【図５Ｃ】図５Ｃは、光ファイバケーブルを介する広帯域光源とデータ収集システムと走査ＭＥＭＳミラーの間の同期の詳細を概略的に示す。
【図５Ｄ】図５Ｄは、本開示の他の一実施形態に係る、図１の広視野ＯＣＴイメージングシステムのコンソールと手持ち式イメージングプローブを絶縁するために使用される電気アイソレータを示す概略図である。
【図６】図６は、本開示の代替の実施形態に係る、広視野ＯＣＴイメージングシステムのコンソールと手持ち式イメージングプローブを接続する無線データリンクの概略図である。
【図７】図７は、広帯域光源とデータ収集システムと走査ＭＥＭＳミラーの間の無線による同期の詳細を概略的に示す。
【図８Ａ】図８Ａは、ＯＣＴイメージングモジュールが、本開示の一実施形態に係る広視野ＯＣＴイメージングシステムの一体部分である手持ち式ＯＣＴイメージングプローブの側面図である。
【図８Ｂ】図８Ｂは、ＯＣＴイメージングモジュールが、本開示の他の一実施形態に係る広視野ＯＣＴイメージングシステムのイメージングプローブの主要部分から取り外されかつ主要部分に繰り返し再び取り付けられる手持ち式ＯＣＴイメージングプローブの側面図である。
【図９】図９は、本開示の一実施形態に係る、前眼部がイメージングされる、広視野ＯＣＴイメージングシステムの概略図である。
【図１０】図１０は、本開示の他の実施形態に係る、ＯＣＴ干渉計の参照アームが手持ち式ＯＣＴイメージングプローブに一体化される、広視野ＯＣＴイメージングシステムの一例の光学設計の概略図である。
【発明を実施するための形態】
【００５８】
本開示は、ここで添付の図面を参照して詳細に説明される。本開示は、多くの異なる形態で具体化でき、本明細書で論じられる例示の実施形態に制限されると解釈されるべきではない。
【００５９】
本開示の様々な実施形態は、広視野を有する光干渉断層法（ＯＣＴ）イメージングシステムを記載している。ＯＣＴイメージングシステムは、手持ち式イメージングプローブを備えることができる。手持ち式イメージングプローブは、先端部を有するプローブハウジング、第一のイメージングモジュール（たとえば、カラーイメージングモジュール）および第二のイメージングモジュールであるＯＣＴイメージングモジュールを備えることができる。第一のイメージングモジュールは、第一の照明路および第一のイメージング路を有することができる。第一のイメージングモジュールは、ハウジングの内側に配置された第一の光源を備えることができ、第一の光源は、第一の波長範囲を有することができる。第一のイメージングモジュールは、先端部に配置されかつ眼の角膜と接触するように構成された光学窓を備えることができる。光学窓は、約３ｍｍから約１８ｍｍの曲率半径を有する凹面状前面を有することができる。光学窓は、直接的に、または使い捨てキャップを介して間接的に、角膜に接触することができる。屈折率整合ジェルが光学窓と角膜との間に塗布されてもよい。光学窓は、眼の角膜の曲率半径に整合するように構成される。第一のイメージングモジュールは、複数のセグメントを有しかつ光学窓の周辺部分の背後に配置された光調整要素を備えることができ、光調整要素は、第一の照明路を介して眼を照明するために第一の光源の第一の光ビームを方向制御するように構成される。第一のイメージングモジュールは、第一のイメージングモジュールの第一の焦点を調整するための第一の合焦レンズと、第一のイメージング路を介して眼の第一の画像を受け取るように構成された画像センサを備えることができる。第一のイメージング路は、第一の照明路から分離されている。第一のイメージング路は、第一の照明路とは重ならない。光調整要素は、光調整要素を出る実質的に全ての光を第一のイメージングシステムの入射瞳の外側に向けるように構成される。第一のイメージングモジュールのさらなる詳細は、その全体が参照によって本明細書に援用される米国特許第９１５５４６６号明細書に開示されている。
【００６０】
手持ち式イメージングプローブは、第二の照明路と第二のイメージング路を有することができるＯＣＴイメージングモジュールを備えることができる。ＯＣＴイメージングモジュールは、第二の光源からの第二の光ビームの第一の部分を走査するように構成された走査ＭＥＭＳミラーを備えることができる。第二の光源は、広帯域光源等のＯＣＴ光源であってもよい。いくつかの実施形態では、第二の光源は、高速走査速度を提供できる波長掃引レーザである。走査ＭＥＭＳミラーは、第一の照明路および第一のイメージング路の外側に配置される。ＯＣＴイメージングモジュールは、第一のイメージング路に配置され、第一の光ビームを透過しかつ第二の光ビームの第一の部分を反射するように構成されたビーム分割ダイクロイックミラー、および第二のイメージングモジュールの第二の焦点を調整するための第二の合焦レンズを備えることができる。
【００６１】
ＯＣＴイメージングモジュールは、広視野を有することができる。眼の節点から測定された撮影視野は、特定の実施形態では、単一ボリューム取得において少なくとも６０度×６０度であり１８０度×１８０度まででよい。いくつかの実施形態では、前記撮影視野は、単一ボリューム取得において少なくとも１２０度×１２０度であるが１８０度×１８０度を超えない。いくつかの実施形態では、前記撮影視野は、単一ボリューム取得において少なくとも１３０度×１３０度であるが１８０度×１８０度を超えない。
【００６２】
図１は、広視野を有するＯＣＴイメージングシステム１００の側面図である。ＯＣＴイメージングシステム１００は、手持ち式イメージングプローブ１４０およびコンソール１３０を備えることができる。一般的に、イメージングプローブ１４０は、第一のイメージングプローブ１２０、たとえば光カラーイメージングモジュールまたは全視野イメージングモジュール、およびＯＣＴイメージングモジュール１１０を備えることができる。一般的に、コンソール１３０は、ＯＣＴエンジン１３１および走査ミラーコントローラ１３４を備えることができる。ＯＣＴエンジン１３１は、ＯＣＴ干渉計、ＯＣＴ光源（たとえば、８００ｎｍから１１００ｎｍまでの波長を有する広帯域光源）、光検出器、データ収集システム、電源、プロセッサ、およびディスプレイを備えることができる。ＯＣＴエンジン１３１は、時間領域ＯＣＴエンジン（ＴＤ−ＯＣＴ）、フーリエ領域ＯＣＴエンジン（ＦＤ−ＯＣＴ）、または掃引光源フーリエ領域ＯＣＴエンジン（ＳＳ−ＦＤ−ＯＣＴ）であり得る。
【００６３】
手持ち式イメージングプローブ１４０は、コンパクトであり、軽量でありかつポータブルであることができる。イメージングプローブ１４０は、第一のイメージングモジュール（たとえば、カラーイメージングモジュール）１２０およびＯＣＴイメージングモジュール１１０を備えることができる。一般的に、イメージングプローブ１４０は、ＯＣＴイメージングモジュールを収容するのみならず、他のイメージングモダリティ、たとえば、カラーイメージング、蛍光眼底血管造影イメージング、自動蛍光イメージング等を伴う。イメージングプローブ１４０は、他のイメージングモダリティ、たとえば光カラーイメージングと同時にリアルタイムでのＯＣＴイメージングを実行できる。いくつかの実施形態では、光カラーイメージングモジュールは、以下で詳細に論じるＯＣＴ断面図のためのイメージング位置の位置決めを提供するように構成できる。
【００６４】
図１に示すように、光ファイバ１０３は、ＯＣＴエンジン１３１のＯＣＴ光源からの光をイメージングプローブ１４０へ伝送するように構成することができる。ＯＣＴエンジン１３１は、光ファイバによってイメージングプローブ１４０のＯＣＴイメージングモジュール１１０に光学的にリンクでき、この光ファイバは、ＯＣＴ光源からの光をＯＣＴイメージングモジュール１１０に供給すると同時に、さらなる解析のためにＯＣＴイメージングモジュール１１０から眼の反射光を受光する。ＯＣＴイメージングモジュール１１０は、手持ち式イメージングプローブ１４０の内側に配置された、一次元的にまたは二次元的に回転する走査ミラーによってＯＣＴ光源からの光ビームを眼の異なる部分（後部イメージングモードで後眼部、および前部イメージングモードで前眼部）へ走査し、眼から反射された、すなわち散乱された光を受光する。たとえば、走査ミラーは、いくつかの実施形態では、走査ＭＥＭＳミラーであってもよい。
【００６５】
手持ち式イメージングプローブ１４０は、コンパクトであってもよく、様々な実施形態では、イメージングプローブ１４０は、その最も長い寸法に沿って２５０ｍｍ未満のサイズであってもよい。たとえば、いくつかの実施形態では、イメージングプローブ１４０は、最も長い寸法に沿って２５０ｍｍと２００ｍｍの間、２５０ｍｍと１５０ｍｍの間、または２５０ｍｍと１００ｍｍの間である場合がある。いくつかの実施形態では、イメージングプローブ１４０は、１ｋｇ未満の重さである場合がある。たとえば、イメージングプローブ１４０は、いくつかの実施形態では、１ｋｇと０．５ｋｇの間、１ｋｇと０．３ｋｇの間、または１ｋｇと０．２ｋｇの間の重さである場合がある。
【００６６】
イメージングプローブ１４０、コンソール１３０およびファイバケーブル１０３を含むＯＣＴイメージングシステム１００は、そのコンパクトさのおかげで、たとえば、６００ｍｍ×４００ｍｍ×３００ｍｍ未満であり１５ｋｇ未満の重さのハンドル付きの小さなキャリングケース、または他の便利な方法でユーザによって運ばれることができる。いくつかの実施形態では、たとえば、キャリングケースは、（６００ｍｍと３００ｍｍの間）×（４００ｍｍと２００ｍｍの間）×（３００ｍｍと１５０ｍｍの間）である。また、このキャリングケースは、いくつかの実施形態では、１５ｋｇと１０ｋｇの間または１５ｋｇと５ｋｇの間の重さである。ＯＣＴイメージングシステム１００およびキャリングケースに関してはこれらの範囲外のサイズも可能である。様々な実施形態は、ほとんど訓練を受けていないオペレータが容易に操作できる。
【００６７】
イメージングシステム１００のイメージングプローブ１４０は、主要部分１０１、たとえば片方の手で簡単に掴むことができかつハンドルとして使用可能な円筒形状に構成されるハンドル部を有することができる。主要部分は、プローブハウジングの先端部から長手方向に延在している。主要部分は、その全体が参照によって本明細書に援用される米国特許出願第１４／２２０００５号に詳細に開示されたようなものでよい。ユーザは、一方の手でイメージングプローブ１４０の位置／角度を正確に調整することができ、それによりもう一方の手が自由に他の仕事、たとえば指で患者の瞼を開くことをすることができる。第一のイメージングモジュール（たとえば、カラーイメージングモジュール）を、ハンドル部分１０１の内側に配置できる。
【００６８】
ＯＣＴイメージングモジュール１１０を、主要部分１０１に取り付けられる側部１１０ａに配置することができる。いくつかの実施形態では、イメージングプローブ１４０は、隆起部を有するハンドグリップを備えることができ、このハンドグリップが、前記側部であってもよい。隆起部を有するハンドグリップは、その全体が参照によって本明細書に援用される米国特許出願第１４／３１２５９０号に開示されたようなものでよい。ＯＣＴイメージングモジュール１１０の一部を、側部１１０ａの内側に配置できる。たとえば、側部１１０ａは、イメージングプローブ１４０を保持するオペレータの手のひらに合う形状にすることができる。いくつかの実施形態では、円筒形ハンドグリップの直径は、２０ｍｍから８０ｍｍであることができ、たとえば円筒形ハンドグリップの直径は、３０ｍｍから５０ｍｍであることができる。いくつかの実施形態では、円筒形ハンドグリップの長さは、６０ｍｍから３００ｍｍであることができ、たとえば円筒形ハンドグリップの長さは、１００ｍｍから２００ｍｍであることができる。ＯＣＴイメージングモジュール１１０のハウジング、たとえば側部１１０ａは、１０ｍｍから５０ｍｍの幅、１０ｍｍから８０ｍｍの高さ、および２０ｍｍから１００ｍｍの長さを有することができる。たとえばＯＣＴイメージングモジュール１１０のハウジングであってもよい側部１１０ａは、約２０ｍｍから３０ｍｍの幅、３０ｍｍから５０ｍｍの高さ、および４０ｍｍから６０ｍｍの長さであり得る。上記の範囲以外の値も可能である。
【００６９】
取得された画像は、有線または無線通信システムを介して、記憶ユニット等の他のコンピューティングデバイスまたはインターネットベースのデバイスに伝送できる。イメージングプローブ１４０は、第一のイメージングモジュールおよびＯＣＴイメージングモジュールを制御するためのプロセッサをさらに備えることができる。イメージングプローブ１４０は、コンソール１３０または他のコンピューティングデバイスまたはインターネットベースのデバイスと無線で通信するために、無線送信器および無線受信器をさらに備えることができる。イメージングプローブ１４０は、ハンドル部分１０１の頂部に取り付けられたタッチスクリーンモニタ等のユーザ入力インターフェースを備えるディスプレイ１０２を備えることができる。ディスプレイ１０２は、第一のイメージングシステムからの第一の画像およびＯＣＴイメージングモジュール１１０からの第二の横断面画像を同時に表示するように構成できる。いくつかの実施形態では、イメージングプローブ１４０は、バッテリによって電力供給できる。また、様々な実施形態では、このイメージングプローブ１４０からリアルタイムでデータを受け取るタッチスクリーンモニタまたはより大きなディスプレイモニタにライブ画像が表示されてもよい。
【００７０】
ＯＣＴイメージングシステム１００は、眼科用の疾患のスクリーニングデバイスや医療診断デバイスとして使用することができる。ＯＣＴイメージングシステム１００は、眼の治療施設へ行くことが便利ではない遠隔にある郊外の地域で使用することができる。ＯＣＴイメージングシステム１００は、耳鼻咽喉科、皮膚科等の他の医療ニーズのために他の体の部位（たとえば、耳や皮膚等）を見るためのポータブル医療イメージングデバイスとして使用できる。さらに、ＯＣＴイメージングシステム１００は、医療用以外の分野での用途、たとえば、後眼部／前眼部からの画像を個人識別の目的で使用し得るセキュリティスクリーニング用途を有することができる。ＯＣＴイメージングシステム１００は、動物を含む様々なサンプルを見るためにも使用できる。ＯＣＴイメージングシステム１００は、他の産業に応用されてもよい。
【００７１】
図２Ａは、本開示の一実施形態に係る、後眼部２０１がＯＣＴイメージングシステム１００によってイメージングされる広視野ＯＣＴイメージングシステム１００の例示的な光学設計を概略的に示す。図２Ｂは、ＯＣＴイメージングシステム１００の手持ち式イメージングプローブ１４０の先端部の側面図である。図２Ａおよび図２Ｂを参照すると、ＯＣＴイメージングシステム１００は、手持ち式イメージングプローブ１４０を有することができる。手持ち式イメージングプローブ１４０は、先端部を有するプローブハウジング１４１を有することができる。用語「先端」と「前」は、本開示では交換可能に使用される。「先端部」と「前端部」の両方は、眼の角膜２０３に最も近い端部を意味する。手持ち式イメージングプローブ１４０は、プローブハウジング１４１の先端部に配置された接触光学窓２０２を備えることができる。光学窓２０２は、米国特許第９１５５４６６号明細書に開示されているように、眼の角膜２０３と接触するように構成される。光学窓２０２は、直接的に、または使い捨てかつ光学的に透明なキャップを介して角膜２０３と接触されるように構成される。屈折率整合ジェルを、角膜２０３および／または光学窓２０２および／または使い捨てキャップに塗布してもよい。第一のイメージングモジュール１２０が広視野を持つために、光学窓２０２と角膜２０３との間に光学屈折率整合ジェルを使用することは、眼の角膜２０３からの大量の光学収差を除去するのに役立つ。使い捨てキャップの詳細は、２０１６年１月２６日に出願された「Ａ  ＤＩＳＰＯＳＡＢＬＥ  ＣＡＰ  ＦＯＲ  ＡＮ  ＥＹＥ  ＩＭＡＧＩＮＧ  ＡＰＰＡＲＡＴＵＳ  ＡＮＤ  ＲＥＬＡＴＥＤ  ＭＥＴＨＯＤＳ」と題する米国特許出願第１５／００７１０１号に開示されている通りであり、この特許出願は、その全体が参照によって本明細書に援用される。用語「接触する」は、直接に接触する、屈折率整合ジェルを介して接触する、および使い捨てキャップを介して接触することを含むように本明細書では定義される。
【００７２】
使用中、光学窓２０２は、瞳孔を介して網膜２０１の広視野を得るために僅かな圧力で角膜２０３と接触するように配置できる。したがって、光学窓２０２は、眼の角膜２０３の曲率と厳密に整合する曲率半径を有する凹面状前面２０２ａを有することができる。いくつかの実施形態では、光学窓２０２の凹面状前面２０２ａは、３ｍｍと１８ｍｍの間の曲率半径を有する。たとえば、光学窓２０２の凹面状前面２０２ａは、５ｍｍと１５ｍｍの間の曲率半径を有することができる。上記範囲以外の値も可能である。光学窓２０２の凹面状前面の曲率半径は、用途のニーズによって変化させてもよい。
【００７３】
図２Ｂに示されるように、光学窓２０２の先端面は、凹面状前面２０２ａおよび凹面状前面２０２ａから半径方向外方に延在する小さく平らな先端側のリング面２０２ｂを備えることができる。これらの面の全ては、光学研磨できる。光学窓２０２は、光学的に透明であり、光学ガラス等の材料を含むことができる。プローブハウジング１４１の先端部は、光学窓２０２の縁部の周りに延在する。プローブハウジング１４１の先端部は、操作中に患者を傷つけることを防止するために、および光学窓２０２が硬い異物によって引っかかれることから保護するために、滑らかな隆起部を有する。小さく平らな面２０２ｂは、円形リングの形状であり、光学窓２０２の前部周囲領域に配置できる。この小さく平らなリング２０２ｂは、光学窓２０２の側部近くにある、および／または光学窓２０２の側部から光学窓２０２の凹面状前面２０２ａの縁部までもしくは縁部近くまで延在することができる。小さな位置合わせリングすなわち縁部は、プローブハウジング１４１の内側に配置できる。様々な実施形態では、位置合わせリングの寸法は、光学窓の先端側の平らな面２０２ｂと整合するように構成できる。光学窓２０２の先端側の平らな面２０２ｂは、光学窓２０２およびプローブハウジング１４１の位置合わせを支援することができ、したがって、位置ずれによる収差を減少することができる。先端側の平らな面２０２ｂは、光学窓２０２とプローブハウジング１４１の間に緊密な篏合をさらにもたらすことができる。
【００７４】
イメージングプローブ１４０が直接的にまたは使い捨てキャップを介して眼の角膜２０３と接触すると、イメージングシステム１００は、接触式顕微鏡の形態で、後眼部２０１、すなわち網膜をイメージングするために使用できる。接触型ＯＣＴイメージングシステム１００は、乳児がオペレータの指示に従わないことが多いので、小児科での利用に有利である。小児科での用途に関して、非接触型ＯＣＴイメージングシステムはオペレータの指示に従うことができる協力的な対象を必要とするので、乳児には上手く機能しない。接触型ＯＣＴイメージングシステムは、非接触型のシステムの問題点を克服し、乳児に上手く機能する。
【００７５】
さらに、接触型ＯＣＴイメージングシステム１００は、超広視野をさらに得ることができる。たとえば、接触型ＯＣＴイメージングシステム１００は、従来の非接触型ＯＣＴイメージングシステムの３倍から５倍の撮影視野を有することができる。いくつかの実施形態では、接触型ＣＴイメージングシステム１００は、単一ボリューム取得において６０度と１２０度の間の撮影視野を有することができる。いくつかの実施形態では、接触型ＯＣＴイメージングシステム１００は、単一ボリューム取得において１３０度の撮影視野を有することができる。接触型ＯＣＴイメージングシステム１００の顕微鏡型の光学設計は、後眼部をイメージングするための従来の非接触型ＯＣＴイメージングシステムの望遠鏡スタイルの光学設計よりもより広い撮影視野を得ることができる。
【００７６】
非接触型ＯＣＴイメージングシステムの問題点の一つは、参照アームに対して高度に自動化した調整すなわちスマートな調整を必要とすることである。一般的に、ＯＣＴイメージングシステムは、約６μｍの軸方向分解能を有する。ＯＣＴイメージングシステムと患者の眼の間の軸方向距離の変化は、ＯＣＴ画像の垂直の動きを生じる。ＯＣＴイメージングシステムと患者の眼の間の距離は、許容レベルに安定化したリアルタイムのＯＣＴ画像を見るために数十マイクロメートルの範囲に一定に保たれなければならない。軸方向距離の動作範囲に関連する、ピクチャーフレーム内でＯＣＴ画像を均一に保つために、その距離は、１ｍｍ未満から２ｍｍ未満の範囲内であるように維持されなければならない。約３ｌｂｓ（約１．４ｋｇ）から６ｌｂｓ（約２．７ｋｇ）でありかつ眼から離れている場合がある非接触型ＯＣＴイメージングプローブについて、非接触型ＯＣＴイメージングプローブを乳児または幼児の眼に精密に位置合わせすることは非常に困難である。従来、ＯＣＴ画像は、数秒間だけ現れて消えることが多いので、医師／オペレータが正確に位置合わせしてＯＣＴ画像を取ることができるには典型的には約２０分以上時間がかかる。子供の眼は、動くことがあり、かつ医師／オペレータの手も同様に動くことがある。参照アームの調整によってＯＣＴ画像のそのような動きを自動的に補償しかつ安定化することは困難である。
【００７７】
接触型ＯＣＴイメージングシステム１００は、従来の非接触型ＯＣＴイメージングシステムに比較して、操作中にＯＣＴ画像をより良好に安定化でき、かつＯＣＴ画像のＳ／Ｎ比を向上できる。接触型ＯＣＴイメージングシステム１００は眼の角膜と接触するように配置され、そのような配置は、眼（より正確には、後眼部イメージングに関しての網膜）とＯＣＴイメージングシステム１００の間の距離の起こり得る変化を１ｍｍの数分の１に最小化でき、したがって、ＯＣＴ画像の垂直への動きを減少することができる。したがって、ＯＣＴイメージングの手順中に、ＯＣＴ画像は、容易にピクチャーフレーム内に保たれる。ＯＣＴイメージングシステム１００が角膜と接触するや否や、医師／オペレータは、位置合わせのために努力する必要なく、リアルタイムのＯＣＴ画像を直ちに見ることができる。リアルタイムのＯＣＴ画像は、距離制御が数十マイクロメートルのレベルにまだないので、なおピクチャーフレーム内で絶えず動き得る。しかしながら、高速イメージング技術との組み合わせで、ＯＣＴ画像の品質を大きく向上でき、かつＯＣＴ画像を取得する時間を大きく減少できる。
【００７８】
加えて、ＯＣＴイメージングシステム１００は、患者の眼とＯＣＴイメージングシステム１００の光学系との間の横方向の位置合わせ要件を最小にできる。接触光学窓２０２の形状が、角膜の形状と緊密に篏合するように設計されているので、接触光学窓２０２と角膜が接触するときに、接触光学窓２０２を角膜に位置合わせすることはより容易である。接触光学窓２０２は、眼球の自由な動きも減少でき、かつ眼球の横方向の動きにおける画像を安定化するのを助ける。ＯＣＴイメージングシステム１００は、眼と接触光学窓２０２との間の空間に屈折率整合ジェルを使用することによって、ＯＣＴイメージングシステム１００との眼のずれ、または眼からの収差にいずれかによって引き起こされる光学収差をさらに最小化することができる。収差が減少するとより多くの光が眼から光ファイバに結合できるので、このような減少はＯＣＴ画像のＳ／Ｎ比を向上することに役立つ。接触光学窓２０２は、ＯＣＴイメージングシステム１００の撮影視野を広げることができ、かつ従来の非接触型ＯＣＴイメージングシステムでは到達できない後眼部２０１、すなわち網膜の周囲領域のイメージングを可能にする。
【００７９】
図２Ａを参照すると、ＯＣＴイメージングシステム１００の手持ち式イメージングプローブ１４０は、第一のイメージングモジュール１２０とＯＣＴイメージングモジュール１１０とを備えることができる。たとえば、第一のイメージングモジュール１２０は、カラーイメージングモジュール、または全視野イメージングモジュールであってもよい。一般的に、第一のイメージングモジュール１２０は、眼のカラー画像、すなわち眼の写真を取得するように構成できる。第一のイメージングモジュール１２０は、第一の照明路および第一のイメージング路を有することができ、第一のイメージング路は、第一の照明路から分離されている。第一のイメージングモジュール１２０は、イメージングプローブ１４０の内側に配置された第一の光源２２１を備えて、独立した照明光学路を介して眼を照明することができる。第一のイメージングモジュール１２０は、結像光学系および合焦光学系と画像センサ２１０を備えることができる。画像センサ２１０は、第一のイメージングモジュール１２０の分離されたイメージング路を介して眼からの反射光を受光するように構成される。第一の照明路は第一のイメージング路の外側にあり、かつ第一のイメージング路は第一の照明路とは重ならない。照明路とイメージング路の分離により、後眼部すなわち網膜をイメージングするときに角膜からの散乱光を減少でき、かつＯＣＴイメージングシステム１００の撮影視野を広げることができる。そうでない場合、角膜からの散乱光は、網膜からの反射光よりもはるかに強力であり、イメージングシステムの達成できる撮影視野が制限される可能性がある。
【００８０】
ＯＣＴイメージングシステム１００の第一のイメージングモジュール１２０は、イメージングレンズ２０４を備えることができる。イメージングレンズ２０４は、光学窓２０２の背後に配置でき、かつ光学窓２０２と光学的に位置合わせできる。第一のイメージングモジュール１２０は、光調整要素２１８をさらに備えることができる。光調整要素２１８は、第一の光源２２１からの第一の光ビームを受光し、かつ第一の光ビームを方向制御して第一のイメージングモジュール１２０の広視野を得るのに望ましい方法で眼を照明するように構成された、マルチセグメント（たとえば、反射性および／または屈折性）面を備えることができる。
【００８１】
一つまたは複数のレンズ要素を含むことができるイメージングレンズ２０４は、光学窓２０２の背後に、すなわち光学窓２０２に関して眼とは反対側に配置され、光学窓２０２と光学的に位置合わせされる。光学窓２０２の光軸とイメージングレンズ２０４は、たとえば、全てではないがいくつかの場合には、眼の光軸と実質的に位置合わせできる。たとえば、施術者は、第一のイメージングシステム１２０の光軸が眼の光軸と実質的に位置合わせされるように眼を検査することができるが、いくつかの場合、施術者は、これらの軸がずれるように手持ち式イメージングプローブ１４０を傾けることがある。光学窓２０２の前面の曲率半径は、角膜の曲率半径と緊密に整合するように選択されるが、光学窓２０２の裏面は、第一の照明路の設計によっては僅かに平らにできる。光学窓２０２は、イメージングレンズ２０４と同じまたは異なる光学材料から作製できる。イメージングレンズ２０４の前面の曲率は、光学窓２０２の裏面の曲率と同じであってもよいし異なっていてもよい。イメージングレンズ２０４の裏面は、画像に関して望ましい結果を得るために球状であってもよいし非球状であってもよい。いくつかの実施形態では、小さな空隙または他の材料が光学窓２０２とイメージングレンズ２０４との間に設けられるが、これら二つの光学要素は、ある領域において接触されていてもよく、または接着剤で接合や接着されていてもよい。
【００８２】
いくつかの実施形態では、光学イメージングシステム１２０は、第一の組のリレーレンズ２０５をさらに含むことができ、これらのリレーレンズ２０５は、第一の組のリレーレンズの後焦点面近くに眼の二次画像面２０８を形成するように構成され、また光学イメージングシステム１２０は、第二の組のリレーレンズ２０９をさらに含むことができ、これらのリレーレンズ２０９は、第一の組のリレーレンズの後焦点面の近くに配置された前焦点面で無限遠に二次画像面２０８を投射するように構成される。様々な実施形態では、第一の合焦レンズ２１１は、第二の組のリレーレンズの後焦点面近くに配置され、かつ眼からの光を画像センサ２１０に送給するように構成される。たとえば、第一の合焦レンズは、一組の小型の合焦レンズであってもよい。いくつかの実施形態では、画像センサ２１０と第一の合焦レンズ２１１は、小型のカメラモジュールに配置できる。第一の合焦レンズ２１１と画像センサ２１０を備える小型のカメラモジュールは、約４ｍｍ以下の焦点距離、たとえば、約４ｍｍと２ｍｍの間または４ｍｍと３ｍｍの間等の焦点距離で、１／２．２インチ（０．１８ｃｍ）または１／３．２インチ（０．１２ｃｍ）のフォーマットを有する。一つ以上の小型のレンズの視野角は、たとえば小型レンズの焦点距離に基づいて適切にサイズが決められたセンサでは、７５度以下であることができる。センサチップ２１０および一つ以上の第一の合焦レンズ２１１を含むカメラモジュールは、たとえば約８．５ｍｍ×８．５ｍｍ、または１０ｍｍ×１０ｍｍと５ｍｍ×５ｍｍとの間、又はそれ以下である。いくつかの実施形態では、たとえば、一つ以上の第一の合焦レンズ２１１は、約０．８ｍｍと１．５ｍｍの間の開口サイズを有し、他方、いくつかの実施形態では、第一のリレーレンズ２０５および第二のリレーレンズ２０９は、約２０ｍｍ、たとえば約３０ｍｍと１０ｍｍの間または２５ｍｍと１５ｍｍの間の開口サイズを有する。第一のイメージングシステム１２０は、後眼部２０１、より具体的には、網膜から反射された光を集めることができる。光は、瞳開口の中心および眼の水晶体２０７を通過し、二次画像面２０８で後眼部すなわち網膜の実像を形成する。上で論じたように、イメージングレンズ２０４は、球状または非球状表面を有する単一または複数のレンズを含むことができる。いくつかの実施形態では、二次画像面２０８は、レンズ２０５の後焦点面近くに位置される。いくつかの実施形態では、リレーレンズ２０９は、レンズ２０９の前焦点面も二次画像面２０８近くに配置した場合に、二次画像面２０８からの画像を無限遠に投射するために使用できる。自らの小型の合焦レンズ２１１を備える、ＣＣＤ、ＣＭＯＳまたは他の型の形態の画像センサ２１０は、光学イメージングシステム１２０の光軸に沿ってレンズ２０９の後焦点面近くに配置できる。小型レンズ２１１は、多数の光学レンズを含むことができる。いくつかの実施形態では、画像センサ２１０は、約６．２ｍｍ×４．６ｍｍ、または、たとえば約８ｍｍと４ｍｍの間×６ｍｍと３ｍｍの間、または約７ｍｍと５ｍｍの間×５ｍｍと４ｍｍの間である、アクティブ領域を有する。したがって、様々な実施形態では、センサ２１０のアクティブ領域は、リレーレンズ２０５、２０９の開口サイズの約１／４、またはたとえば開口サイズの約０．４と０．２の間または０．５と０．１の間である。様々な実施形態では、一つ以上の第一の合焦レンズ２１１は、一つ以上の第一の合焦レンズ２１１の間に位置される、または一つ以上の第一の合焦レンズ２１１の前方にアパーチャ板によって形成される、円形光学開口（虹彩）２１２を備えて作られている。特定の実施形態では、光学開口２１２のそのような位置によって、光学収差が減少される。一つ以上の第一の合焦レンズ２１１は、網膜２０１の画像を画像センサ２１０に中継できるのみならず、開口２１２が光学イメージングシステム１２０全体の開口になるときに水晶体２０７の前面近くに第一のイメージングシステム１２０のための入射瞳２４３を形成することができる。この特殊な配置によって、前眼房および第一のイメージングモジュール１２０の光学要素からの大量の散乱光を除去するのに役立つ。
【００８３】
いくつかの実施形態では、第一のイメージングモジュール１２０の第一のイメージング路の光学レンズは、第一の光源２２１の波長範囲内で光ビームに対して色消しできる。接触光学窓２０２を含む第一のイメージングモジュールの先端部から合焦レンズ２１１を含むイメージングセンサ２１０の前部までの第一のイメージングモジュール１２０を形成する光学レンズは、第一のイメージングモジュール１２０の第一の光源２２１の波長範囲内の多数の波長の光ビームに対して色消しできる。眼自体からの残留色収差を補償するためにさらなる考慮が必要とされ得る。ここで、色消しとは、一つの波長のみならず、作動波長範囲内での複数の光波長に関する光学収差並びに第一のイメージングモジュール１２０の全視野に関する光学収差を最小にするための設計を意味する。たとえば、第一のイメージングモジュール１２０を形成する光学レンズは、４５０ｎｍから７００ｎｍまでの作動光波長に対して４７０ｎｍ、５５０ｎｍおよび６５０ｎｍの波長で光学収差を最小にし、同様に、０度（光軸上）から１３０度までの撮影視野に対する収差を最小にするように構成できる。
【００８４】
第一のイメージングモジュール１２０は、第一の光源２２１、光ファイバ束２２０、光調整要素２１８、および光学窓２０２の周辺部分を備える第一の照明サブモジュールを備えることができる。第一の照明サブモジュールは、第一のイメージング路から空間的に分離されている第一の照明路を形成する。第一の光ビームは、光源２２１から放射されて光ファイバ束２２０を介して光学窓２０２の周辺部分の背後に配置された光学光調整要素２１８に導入できる。第一の照明路は、第一の光源２２１から長手方向前方および半径方向内方に、光ファイバ束２２０へ、光調整要素２１８へ、光学窓２０２の周辺部分へ、および後部のイメージングのために後眼部２０１、すなわち網膜へと延在している。第一のイメージングモジュール１２０は、光学窓２０２の中央部分、イメージングレンズ２０４、第一のリレーレンズ２０５、第二のリレーレンズ２０９、第一の合焦レンズ２１１および画像センサ２１０を備える第一のイメージングサブモジュールを備えることができる。第一のイメージングサブモジュールは、眼からの反射光に対する第一のイメージング路を形成する。第一のイメージング路は、網膜２０１から長手方向後方に、光学窓２０２の中央部分へ、イメージングレンズ２０４へ、第一のリレーレンズ２０５へ、第二のリレーレンズ２０９へ、第一の合焦レンズ２１１へ、および画像センサ２１０へと延在している。
【００８５】
高品質画像を得るために、適切な照明は、第一のイメージング路を避けながら、眼の自然な開きの適切な部分を通って行われる。特に、照明は、眼の瞳孔の周囲領域を通して行われ、他方、後眼部２０１、すなわち網膜から後方散乱された光は、眼の瞳孔の中央部分を通過し画像センサ２１０によって第一の画像を最終的に形成する。このアプローチによって、網膜から反射され、かつ瞳孔を通過する光によって得られた網膜の画像の低下につながる、瞳孔の中央部分からの後方散乱が減少される。眼は、それ自体が特別な光学系を有する複雑な生物学的器官であるので、眼からの散乱と反射は、眼の小さな開口と相まって高品質画像を得ることに大きな困難を引き起こす。特に、眼からの散乱と反射は、眼のイメージング装置によって取得された画像を不明瞭にするグレアおよびヘイズを引き起こす。このように広視野による後眼部からの画像は、強いヘイズまたはグレアの層を示すことが多い。この問題は、眼に暗い色素沈着を有する患者にとって特に深刻である。しかしながら、本明細書で記載されるように眼の特定の領域を通して照明を提供することによって、この後方散乱および反射、並びに結果として生じるヘイズおよびグレアを減少できる。したがって、第一のイメージングモジュール１２０は、広視野をさらに達成できる。
【００８６】
図２Ｃは、ＯＣＴイメージングシステム１００の第一のイメージングモジュールの光調整要素２１８の斜視図である。光調整要素２１８の詳細な説明は、米国特許第９１５５４６６号明細書に開示されており、この特許は、その全体が参照によって本明細書に援用される。図２Ｂに示されるように、光調整要素２１８は、イメージングレンズ２０４の付近または周囲に配置されるように構成される中空リング形状本体を有する。光調整要素２１８の本体は、光透過性または透明な固体材料よりなる、中空の円錐台形状の立体的構造を備えることができる。しかしながら、特定の実施形態では、光調整要素は、不透明材料よりなる。したがって、光調整要素は、ガラス、プラスチック、セラミック、金属またはそれらの組み合わせよりなることができる。他の材料も使用できる。この形状は、中空およびリング形状および円錐台形状として特徴付けることができる。前面および裏面並びに長さに直交する横断面は、円形リングの形状である。裏面は、前面よりも大きな横方向への広がり、たとえばより大きな内側半径および外側半径を有する。光調整要素２１８の面のうちの少なくとも一つは、複数の反射および／または屈折セグメントを有するマルチセグメント面を備える。マルチセグメント面の異なるセグメントは、異なる向き、異なる形状、異なるコーティング、または任意の他の異なる構成を有することができる。光調整要素２１８は、マルチセグメントの反射および屈折面の異なるセグメントの結果として、光源から受光した光を異なる部分に分配することができる。いくつかの実施形態では、マルチセグメント光調整要素から反射される光源からの光は、マルチセグメント面の全内部反射および場合によっては屈折によって、異なる部分に分配される。いくつかの実施形態では、光調整要素は、たとえばマルチセグメント面の全内部反射および屈折によって、光源からの光を異なる部分に分配する。
【００８７】
光調整要素２１８は、光の伝搬のための光チャネルを提供できる。いくつかの実施形態では、光調整要素２１８は、光の第一の部分を光チャネルの内縁部から光イメージングシステムの光軸を含む眼の網膜の第一の領域に向けるように構成される。様々な実施形態では、第一の領域は、光イメージングシステムの撮影視野の三分の一を備える。光イメージングシステムの光軸が眼の光軸と位置合わせされる場合、第一の領域は、眼の網膜の中央領域である。様々な実施形態では、光調整要素は、光チャネルの内縁部から出射する光の５０％、６０％、７０％および８０％を超える光を網膜の第一の領域に向けるように構成される。また、光調整要素は、光の第二の部分を光チャネルの外縁部から、光軸から離れ、かつ光が出射される光チャネルの外縁部とは光軸の反対側の眼の網膜の第二の領域に向けるように構成される。第二の領域は、イメージングシステムの撮影視野の三分の二よりも光軸からさらに遠い。光イメージングシステムの光軸が、眼の光軸と位置合わせされる場合、第二の領域は、網膜の周辺領域である。様々な実施形態では、光調整要素は、光チャネルの外縁部から出射する光の５０％、６０％および７０％を超える光を網膜の第二の領域に向けるように構成される。
【００８８】
第一の光源２２１は、たとえば、いくつかの実施形態では、４５０ｎｍから７００ｎｍの波長を有する可視光源であることができる。第一のイメージングモジュール１２０は、眼のカラー全視野画像を得るために使用できる。カラー全視野画像は、それが白黒画像よりも多くの情報を提供するので、医師に好まれている。しかしながら、可視光源を使用してカラー画像を得るためには、眼の拡張が必要である。いくつかの他の実施形態では、第一の光源２２１は、７００ｎｍから８４０ｎｍまでの波長範囲を有する近赤外（ＮＩＲ）光源であることができる。第一の光源２２１がＮＩＲ光源である場合、眼を拡張する必要はなく、それによって、ＯＣＴイメージングの時間中に子供をより安心させることができる。より長い波長の光は散乱が少なくなるので、ＮＩＲ光源のＮＩＲ光ビームは、可視光ビームよりも散乱が少なくなる。したがって、ＯＣＴイメージングシステムは、可視光源を使用するよりもＮＩＲ光源を使用することによってより良好でより明瞭なＯＣＴ画像を得ることができる。
【００８９】
図１および図２Ａに戻って参照すると、ＯＣＴイメージングシステム１００は、ＯＣＴイメージングをカラーイメージングと同時に行うことができるＯＣＴイメージングモジュール１１０（一体的なＯＣＴイメージングモジュールまたは取り外し可能なＯＣＴイメージングモジュール）を備えることができる。いくつかの実施形態では、ＯＣＴイメージングモジュール１１０は、第一のイメージングモジュール１２０と恒久的に一体化してもよい。コンソール１３０に配置されたＯＣＴエンジン１３１にある広帯域光源２５０からの第二の光ビームは、光ファイバ１０３を介してＯＣＴイメージングモジュール１１０に運ばれてＯＣＴ干渉計（図示せず）のためのサンプルアームを形成することができる。光ファイバ１０３は、通常のファイバまたは偏光保持ファイバの形状のシングルモードファイバであることができる。偏光保持ファイバは、ファイバ１０３が操作中に曲げられているまたはねじられているときに、放射光に関する偏光状態の変化の影響を減少できる。偏光保持ファイバの詳細は以下で論じられる。機械的なまたは電気的な焦点調整機構に設けられた光結合レンズ１０４は、コリメート光ビームを形成するために使用できる。
【００９０】
７００ｎｍよりも長い波長の光を反射するように構成できるビーム分割ダイクロイックミラー１０２は、第一のイメージングモジュール１２０の第一のイメージング路中に挿入できる。第一のイメージングモジュール１２０は、４５０ｎｍから７００ｎｍまでの可視光スペクトルにおいてカラーイメージング能力を提供する。第一のイメージングモジュール１２０の第一の光ビームは、ダイクロイックミラー１０２を通過できるが、ＯＣＴイメージングモジュールに関する第二の光源からの第二の光ビームは、ほぼ全て反射され得る。第二の光源は、ＯＣＴ光源である。たとえば、第二の光源は、コンソール１３０に配置される、８００ｎｍから１２００ｎｍまでの波長範囲を有する広帯域光源であることができる。第二の光源は、いくつかの実施形態では、コンソール１３０に配置される波長掃引レーザであることができる。
【００９１】
ＯＣＴイメージングモジュール１１０は、第二の照明路および第二のイメージング路を備えることができる。ＯＣＴイメージングモジュール１１０は、第一のイメージングモジュール１２０で使用したのと同じ光学コンポーネントのいくつかを使用してその照明機能およびイメージング機能を実行できる。ＯＣＴイメージングモジュール１１０は、眼の横断面図を構築するように構成できる。ＯＣＴイメージングモジュール１１０は、第一のイメージングモジュール１２０およびＯＣＴイメージングモジュール１１０に対するイメージング路で光ビームを分割するように構成できるビーム分割ダイクロイックミラー１０２、および走査ミラー、たとえば走査ＭＥＭＳミラー１１２を備えることができる。一つ以上のミラードライバは、コンソール１３０に配置された走査ＭＥＭＳミラーコントローラ１３４にデータリンク１３６を介して接続できる。ＯＣＴイメージングモジュール１１０と第一のイメージングモジュール１２０は、ビーム分割ダイクロイックミラー１０２から患者の眼に向けての光学系の先端部まで同じ光学系を共有する。たとえば、ＯＣＴイメージングモジュール１１０と第一のイメージングモジュール１２０は、図２Ａに示されるように、ビーム分割ダイクロイックミラー１０２、第一のリレーレンズ２０５、イメージングレンズ２０４、および光学窓２０２を共有する。ビーム分割ダイクロイックミラー１０２は、第一のイメージング路に配置でき、かつ第一の光源２２１の第一の光ビームを透過し、第二の光源（図示せず）からの第二の光ビームの第一の部分を反射するように構成できる。いくつかの実施形態では、走査ＭＥＭＳミラー１１２は、第二の光源からの第二の光ビームの第一の部分を走査するように構成でき、走査ＭＥＭＳミラーは、第一の照明路および第一のイメージング路の外側に配置される。光学的な第一のイメージングモジュール１２０は、ＯＣＴイメージングモジュール１１０のイメージング位置の位置決めを提供するように構成できる。
【００９２】
ＯＣＴイメージングモジュールは、ＯＣＴイメージングモジュールのための焦点調整を行うように構成された一つ以上の第二の合焦レンズ１１４を備えることができる。ＯＣＴイメージングモジュールは、図２Ａに示されるように、第二のビームの光路を管理するための一つ以上のミラーをさらに備えることができる。第二の光ビームは、一つ以上の第二の合焦レンズ１１４によって、ビーム分割ダイクロイックミラー１０２を介して、第一のイメージングモジュール１２０の二次画像面２０８近くの領域に焦点を合わせることができる。そこから、第二の光ビームは、第一のイメージングモジュール１２０のイメージング光学系、たとえば、接触光学窓２０２、イメージングレンズ２０４および第一のリレーレンズ２０５によって、眼の目標の部分、たとえば後眼部２０１に向けられることができる。この共有光学路に沿うイメージング光学系は、可視の第一のイメージングモジュール１２０とＯＣＴイメージングモジュール１１０の両方の波長で動作するために設計され、かつ色消しできる。したがって、第一のイメージングモジュール１２０とＯＣＴイメージングモジュール１１０は、図２Ａに示されるように、同じまたはほぼ同じ二次画像面２０８を共有できる。またＯＣＴイメージング路のための光学系は、走査ミラー１１２が第一のイメージングモジュール１２０の入射瞳２４３に対する光学的共役としての面に位置できるように設計できる。入射瞳２４３は、眼の虹彩面近くに位置されることができ、この虹彩面は、第一のイメージングモジュールの照明光路から分離され、かつ眼の虹彩の中央部分近くに位置される。いくつかの実施形態では、ＯＣＴイメージングモジュールの開口の実像は、光学窓が角膜と接触するとき、眼の水晶体の前面近くに配置される。走査ミラー１１２が回転されると、ミラー１１２は、焦点が合わされた光ビームを後眼部２０１の異なる位置に向けることができる。異なる型の走査パターンを用いて、光ビームは、適時かつ連続的に後眼部２０１の異なる部位を照明できる。
【００９３】
第一のイメージングモジュール１２０が、後眼部すなわち網膜２０１が焦点外にあるときに起動できる独自の合焦機構を有するので、第一のイメージングモジュール１２０とＯＣＴ画像イメージングモジュール１１０は、同時に焦点が合わされるように構成できる。それを行うために、合焦レンズ群１１４の一部は、移動可能に構成でき、必要に応じて、ＯＣＴ光ビームを目標に再度合焦することに役立つ。可動合焦レンズ群１１４は、走査ミラー１１２のためのドライバ電子装置のボードに築かれたドライバ電子装置で電気的に、または手作業で駆動できる。合焦レンズ群１１４が電気的に駆動されると、合焦レンズ群１１４の動きは、両イメージングモダリティに関する合焦動作がたった一つの動作で同時に行われることができるように、第一のイメージングモジュール１２０の合焦レンズ２１１の動きに対して同期するように構成できる。ＯＣＴ光ビームの焦点は、走査ミラー１１２のためのドライバ電子装置のボード上に築かれたドライバ電子装置によって電気的に、または手作業によって、その駆動機構を用いて結合レンズ１０４を動かすことによって得ることもできる。
【００９４】
いくつかの実施形態では、ＯＣＴイメージングシステム１００は、照準光である第三の光源２５３をさらに備えることができる。第三の光源は、コンソール１３０に配置されている。ビームコンバイナ２５２もまたコンソール１３０に配置され、かつビームコンバイナ２５２は、光ファイバ１０３を介して第二の光源２５０と第三の光源２５３の両方を手持ち式イメージングプローブ１４０に結合するように構成される。光ファイバ１０３からの光は、ＯＣＴイメージングのための広帯域光源２５０からの第二の光ビームを含むのみならず、狭帯域波長範囲を有する照準光として第三の光ビームを含む。いくつかの実施形態では、第三の光源２５３の波長は、カラーイメージングのために、第二の光源２５０と第一の光源２２１の間であることができる。たとえば、照準光源は、６８０ｎｍ、７００ｎｍまたは７４０ｎｍの波長を有することができる。第三の光源は、第三の照明路と第三のイメージング路を有することができ、第三の照明路は、ＯＣＴイメージングモジュールの第二の照明路と同じであり、かつ第三のイメージング路は、第一のイメージングモジュールの第一のイメージング路と同じである。ビーム分割ダイクロイックミラー１０２は、第三の光ビームを部分的に反射し、かつ部分的に透過するように構成できる。照準光ビームは、ＯＣＴイメージングモジュール１１０と同じ光学系で後眼部２０１に中継されて全く同じスポットに焦点が合わされる一方、反射された照準光ビームは、ビームスプリッタ１０２を介して部分的に伝送され、次に、第一のイメージング路における光学系と同じ光学系によって画像センサ２１０に最終的に投射される。
【００９５】
次に、照準光ビームの軌跡が、第一の画像上に示され、リアルタイムでＯＣＴ走査パターンの可視化を行うのみならず、後眼部２０１上のＯＣＴ走査ビームの焦点状態も提供できる。明瞭なカラー画像を提供するために第一のイメージングモジュール１２０の第一の焦点を調整する処理中に、画像上に見られた照準光ビームのライン幅も変化される。次に、照準光ビームのライン幅は、カラー画像からリアルタイムで測定でき、ＯＣＴイメージングモジュールに関する第二の焦点の調整のためにフィードバックを提供する。照準光ビームのライン幅のフィードバックは、たとえば第二の合焦レンズ、およびすくなとも一つの可動レンズ１１４または結合レンズ１０４を制御するために使用できる。結果として、第一のイメージングモジュール１２０とＯＣＴイメージングモジュール１１０の両方の焦点は、リアルタイムで同期できる。したがって、第一の合焦レンズ２１１の第一の調整と第二の合焦レンズの第二の調整は、照準光ビームのライン幅のフィードバックを介して同期される。
【００９６】
上で論じたように、第一のイメージングモジュール１２０の第一のイメージング路の光学レンズは、第一の光源２２１の波長範囲内の光ビームに対して色消しできる。光学材料は全てが固有の色分散の特性を有するので、第一のイメージングモジュール１２０が色消しされない場合、光ビームの異なる色によって形成される画像は、イメージングセンサ２１０上で一つの画像に重ならず、画像のコントラストを顕著に減少する。従来、ＯＣＴイメージングシステムが、第一のイメージングモジュールよりもさらにはるかに深刻な色分散の問題を有することは理解されていない。一般的に、ＯＣＴイメージングシステムは、１００ｎｍまでにわたる光学波長範囲を有することができる広帯域光源を伴っている。ＯＣＴイメージングシステムが色消しされない場合、異なる波長からの光ビームは、これらの光ビームが同じ光学進路を移動したとしても、サンプルアームにおいて異なる合計光路を示し、結果として、ファイバ干渉計の参照アームと干渉する場合、異なる干渉パターンとなる。従来のＯＣＴイメージングシステムの大部分において、参照アームに補償モジュールを使用することによってこの問題を解決しようと試みている。たとえば、補償モジュールは、サンプルアームに同じ厚みの同じ材料を含むことができる。しかしながら、ＯＣＴイメージングシステムに関しては、異なる撮影視野（視野角）での光ビームも、光ビームが同じ光学材料を通過しても異なる合計光路を有することができる。一般的に、レンズは、その中心から縁部にかけて異なる厚みを有する。光ビームがレンズの異なる部分を通過するときに、合計光路は、全イメージングシステムの異なる撮影視野に対して空間（空気）とガラスの混合率が異なる。分散補償モジュールが固定モジュールであるために、分散補償モジュールは、イメージング路の光軸に沿って光ビームに関するガラス型と厚みとを整合するように設計できるが、この補償モジュールは、軸外光ビーム等のレンズの異なる部分を通過する光ビームに対して適当でない場合がある。さらに、眼は、補正されない光学分散を有する。イメージング路のレンズは、レンズ材料によって引き起こされる収差が補償されるのみならず眼からの光学分散が補償されるように色消しされなければならない。
【００９７】
いくつかの実施形態では、ＯＣＴイメージングモジュール１１０の第二のイメージング路の光学レンズは、眼からファイバ１０３の前端部まで、光学分散に関してＯＣＴ光源２５０の波長範囲内の光ビームに対して色消しできる。光学窓２０２を含む第二のイメージング路の先端部から光結合レンズ１０４である光ファイバ１０３の前端部までＯＣＴイメージングモジュール１１０を形成するレンズは、ＯＣＴイメージングモジュールで使用される波長を有する光に対して色消しできる。第二のイメージング路の光学レンズは、眼自体からの残留色収差を補償する必要をさらに考慮してさらに構成される。ここで、色消しとは、一波長だけでなく作動波長範囲内の多数の光波長に関する光学収差、並びにＯＣＴイメージングモジュール１１０の全視野に関する光学収差を最小にするための設計を意味する。たとえば、第二のイメージング路の光学レンズは、９８０ｎｍから１１００ｎｍの作動光波長範囲に関する１０００ｎｍと１０８０ｎｍの波長での光学収差、並びに０度（光軸上）から１３０度までの撮影視野に関する光学収差を最小にするように構成される。
【００９８】
いくつかの他の実施形態では、色消しは、ＯＣＴイメージングモジュール１１０の全視野に対して選択された光波長に関する軸上色収差を最小にするように実行できる。光学レンズの同じ部分内を伝わるが異なる光波長を有する光ビームに対する光路差は、許容量に最小化でき、かつ同じ許容量の光路差が、光学レンズの異なる部分を通して伝送する光ビームに適用できる。たとえば、１０００ｎｍと１０９０ｎｍの光波長を有する光ビームに関する光路差は、光軸に沿って伝送する光ビームに対して２ｎｍに最小化でき、かつ１３０度の撮影視野を有する光ビームに対して約２ｎｍに最小化できる。
【００９９】
いくつかの実施形態では、第一のイメージングモジュール１２０の第一のイメージング路の光学レンズは、眼からイメージングセンサ２１０まで、第一の光源２２１の波長範囲の光学分散に対して色消しできる。したがって、イメージングプローブ１４０の先端部からビーム分割ダイクロイックミラー１０２までの第一のイメージング路と第二のイメージング路の共有部分の光学レンズは、第一のイメージングモジュール１２０とＯＣＴイメージングモジュール１１０の両方の動作光波長の光学分散に対して色消しできる。第一のイメージングモジュール１２０とＯＣＴイメージングモジュール１１０の両方によって共有される光学レンズ、たとえば光学接触窓２０２、イメージングレンズ２０４およびリレーレンズ２０５は、第一のイメージングモジュール１２０とＯＣＴイメージングモジュール１１０における両光学波長帯に対して色消しできる。
【０１００】
図３は、他の一実施形態において後眼部２０１がイメージングされる、広視野を有するＯＣＴイメージングシステム３００の他の例示的な光学設計の概略図である。コンソール１３０に配置された広帯域光源２５０からの第二の光ビームは、光ファイバ１０３を介してＯＣＴイメージングモジュール３１０に運ばれてＯＣＴ干渉計（図示せず）に対するサンプルアームを形成する。光ファイバ１０３は、通常のファイバまたは偏光保持ファイバの形態のシングルモードファイバであることができる。機械的または電気的な焦点調整機構に取り付けられた光結合レンズ１０４は、コリメート光ビームを形成するために使用できる。
【０１０１】
広帯域直線偏光子１０５は、他の偏光状態にある望ましくない光を一掃して光ビームのｐ偏光を形成するために使用できる。第二の光ビームは、次に、ｐ偏光ビームの透過を可能にし、かつｓ偏光ビームを反射する偏光ビームスプリッタ（ＰＢＳ）１０６に導入できる。ＰＢＳ１０６の次に位置されることができる広帯域四分の一波長板１０８は、ｐ偏光ビームを円偏光された光ビーム、たとえば左回りまたは右回り円偏光に変換する。走査ミラー１１２は、金属またはダイクロイックの高反射性コーティングで被覆できる。いくつかの実施形態では、走査ミラー１１２は、ミラードライバによって二つの直交方向に駆動されるＭＥＭＳミラー、または二つのミラードライバによって二つの直交方向に配置された回転軸を有する二つのＭＥＭＳミラーであることができる。一つ以上のミラードライバは、データリンク１３６によってコンソール１３０に配置された走査ＭＥＭＳミラーコントローラ１３４に接続できる。円偏光された光ビームが走査ミラー１１２から反射された後、反対方向に四分の一波長板１０８に再び入射する前、回転の方向は、たとえば、左回り偏光から右回り偏光へまたは右回り偏光から左回り偏光へ変化される。次に、四分の一波長板１０８は、円偏光された光ビームを直線偏光された光ビームに変換し、この時は、ｓ偏光の形態である。ｓ偏光された光ビームは、ＰＢＳ１０６によって直交する方向に反射でき、かつ合焦レンズ群１１４に投射される。他の一実施形態では、第二の広帯域四分の一波長板１１６をＰＢＳ１０６と合焦レンズ群１１４との間に使用して、直線偏光ビームを円偏光された光ビームに変換することができる。光ビームは、しばしばコリメート状態にあることができる。
【０１０２】
第二の光ビームは、一つ以上の第二の合焦レンズ１１４によって第一のイメージングモジュール１２０の二次画像面２０８近くの領域上に焦点を合わすことができる。そこから、第二の光ビームを、第一のイメージングモジュール１２０のイメージング光学系によって眼の目標部分、たとえば後眼部２０１に向けることができる。この共有光学路に沿うイメージング光学系は、可視第一のイメージングモジュール１２０とＯＣＴイメージングモジュール３１０に関する両波長で動作するように設計され、かつ最適化できる。したがって、第一のイメージングモジュール１２０とＯＣＴイメージングモジュール３１０は、図３に示されるように、同じまたはほぼ同じ二次画像面２０８を共有することができる。また、ＯＣＴイメージング路のための光学系も、走査ミラー１１２が、第一のイメージングモジュール１２０の入射瞳２４３のための光学的共役としての面に位置できるように設計できる。入射瞳２４３は眼の虹彩面近くに位置でき、この虹彩面は、第一のイメージングモジュールの照明光路から分離され、かつ眼の虹彩の中央部分近くに位置される。いくつかの実施形態では、ＯＣＴイメージングモジュール３１０の開口の実像は、光学窓２０２が角膜２０３と接触するときに、眼の結晶体の前面近くに配置される。走査ミラー１１２が回転されると、ミラー１１２は、焦点が合わされた光ビームを眼の後眼部２０１の異なる位置に向けることができる。
【０１０３】
常時、照明のスポットで眼の組織、たとえば後眼部２０１によって散乱された光は、イメージング光学系（たとえば、接触光学窓２０２、イメージングレンズ２０４および第一のリレーレンズ２０５）、ビーム分割ダイクロイックミラー１０２、合焦レンズ群１１４、ＰＢＳ１０６および四分の一波長板１０８を含む同じ光学系によって収光でき、かつ円偏光、直線偏光、部分偏光、またはランダム偏光された光ビームの形態で走査ミラー１１２に瞬時に戻る。次に、走査ミラー１１２は、直線ｐ偏光、部分偏光、またはランダム偏光された光ビームの形態で四分の一波長板１０８を介して光ビームを反射して戻し、その光ビームが再びＰＢＳ１０６を通過する。ファイバ結合レンズ１０４と広帯域直線偏光子１０５を活用して、光を、光ファイバ１０３に導入し、特に偏光保持ファイバの場合に、同じ偏光状態でＯＣＴエンジン１３１に送り戻すことができる。ＯＣＴイメージングモジュール３１０の投射光路および戻り光路の両方で望ましくない直線光の一部は、ＰＢＳ１０６の表面の一つに被覆された吸収層１０７によって吸収でき、より良好なＳ／Ｎ性能を得ることになる。
【０１０４】
第一のイメージングモジュール１２０とＯＣＴイメージングモジュール３１０の両方は、同時に焦点が合わされるように構成できる。合焦レンズ１１４、すなわち合焦レンズ群１１４の一部は、移動可能に構成でき、必要に応じてＯＣＴ光ビームをターゲットに再度合焦する補助となる。可動合焦レンズ群１１４は、走査ミラー１１２のためのドライバ電子装置のボードに築かれたドライバ電子装置で電気的に、または手作業で駆動できる。合焦レンズ群１１４が電気的に駆動されるとき、合焦レンズ群１１４の動きは、第一のイメージング路モジュール１２０の合焦レンズ２１１の動きに対して、両イメージングモダリティに関する合焦動作がたった一つの動作で同時に行えるように、同期するように構成できる。
【０１０５】
いくつかの実施形態では、ＯＣＴイメージングシステム３００は、第三の光源２５３をさらに備えることができる。光ファイバ１０３からの光は、ＯＣＴイメージングのための広帯域光源２５０からの第二の光ビームのみならず、狭帯域波長範囲を有する照準光としての第三の光ビームを含む。いくつかの実施形態では、第三の光源２５３の波長は、カラーイメージングのために第二の光源２５０と第一の光源２２１の間にあることができる。たとえば、照準光源は、６８０ｎｍ、７００ｎｍまたは７４０ｎｍの波長を有することができる。第三の光ビームは、第三の照明路と第三のイメージング路を有することができ、第三の照明路は、ＯＣＴイメージングモジュールの第二の照明路と同じであり、かつ第三のイメージング路は、第一のイメージングモジュールの第一のイメージング路と同じである。ビーム分割ダイクロイックミラー１０２は、第三の光ビームを部分的に反射し、かつ部分的に透過するように構成できる。照準光ビームは、ＯＣＴイメージングモジュール３１０と同じ光学系で後眼部２０１に中継されて正確に同じスポットに焦点を合わす一方、反射された照準光ビームは、部分的にビームスプリッタ１０２を通って伝送され、次に第一のイメージング路における光学系と同じ光学系によって画像センサ２１０に最終的に投射される。次に、照準光ビームの軌跡が、第一の画像上に示され、その第一の画像は、リアルタイムでＯＣＴ走査パターンの視覚化を行うのみならず、後眼部２０１上のＯＣＴ走査ビームの焦点状態も提供できる。次に、照準光ビームのライン幅は、カラー画像からリアルタイムで測定でき、ＯＣＴイメージングモジュールに関する第二の焦点の調整のためにフィードバックを提供する。第一の合焦レンズ２１１の第一の調整と第二の合焦レンズの第二の調整は、照準光ビームのライン幅のフィードバックを介して同期される。
【０１０６】
いくつかの実施形態では、ＯＣＴイメージングモジュール３１０の第二のイメージング路の光学レンズは、ＯＣＴ光源２５０の波長範囲内の光ビームに対して色消しできる。光学窓２０２を含む第二のイメージング路の先端部から光結合レンズ１０４である光ファイバ１０３の前部までの、ＯＣＴイメージングモジュール３１０を形成する光学レンズは、ＯＣＴイメージングモジュール３１０に使用される波長を有する光に対して色消しできる。第二のイメージング路の光学レンズは、眼自体からの残留色収差を補償する必要をさらに考慮してさらに構成できる。ここで、色消しとは、一波長だけでなく作動波長範囲内の多数の光波長に関する光学収差、並びにＯＣＴイメージングモジュール１１０の全視野に関する光学収差を最小にするための設計を意味する。たとえば、第二のイメージング路の光学レンズは、９８０ｎｍから１１００ｎｍの作動光波長範囲に関する１０００ｎｍと１０８０ｎｍの波長での光学収差、並びに０度（光軸上）から１３０度までの撮影視野に関する光学収差を最小にするように構成できる。
【０１０７】
いくつかの他の実施形態では、色消しは、ＯＣＴイメージングモジュール３１０の全視野に対して選択された光波長に対する軸色収差を最小にするために実行できる。光学レンズの同じ部分内を伝わるが異なる光波長を有する光ビームに対する光路差は、許容量内に最小化でき、かつ同じ許容量の光路差は、光学レンズの異なる部分を通して伝わる光ビームに適用できる。たとえば、１０００ｎｍと１０９０ｎｍの光波長を有する光ビームに関する光路差は、光軸に沿って伝わる光ビームに対して２ｎｍに最小化でき、かつ１３０度の撮影視野を有する光ビームに対して約２ｎｍに最小化できる。
【０１０８】
上で論じたように、第一のイメージングモジュール１２０の第一のイメージング路の光学レンズは、第一の光源２２１の波長範囲内の光ビームに対して色消しできる。第一のイメージングモジュール１２０とＯＣＴイメージングモジュール３１０の両方によって共有される光学レンズ、たとえば接触光学窓２０２、イメージングレンズ２０４およびリレーレンズ２０５は、第一のイメージングモジュール１２０における光学波長帯とＯＣＴイメージングモジュール３１０における光学波長帯の両方に対して色消しできる。
【０１０９】
図４は、図１に示された広視野ＯＣＴイメージングシステム１００の一例のＯＣＴ干渉計２８０の概略図である。ＯＣＴイメージングシステム１００は、手持ち式イメージングプローブ１４０とコンソール１３０を備えることができる。コンソール１３０は、ＯＣＴエンジン１３１と走査ミラーコントローラ（図示せず）を備えることができる。ＯＣＴエンジン１３１は、ＯＣＴ干渉計２８０、ＯＣＴ光源２５０、光検出器２６６、データ収集モジュール２６７、プロセッサ２６８、およびディスプレイを備えることができる。たとえば、ＯＣＴ干渉計２８０は、光ファイバ干渉計であってもよい。ＯＣＴ光源２５０は、いくつかの実施形態では、掃引光源を備えることができる。ＯＣＴ干渉計２８０は、ＯＣＴエンジン１３１のコアであり得る。ＯＣＴ干渉計２８０は、異なるＯＣＴイメージングモジュールを有する異なる手持ち式イメージングプローブと連動することができる。たとえば、ＯＣＴ干渉計２８０は、図２ＡのＯＣＴイメージングモジュール１１０、図３のＯＣＴイメージングモジュール３１０、および他の様々なＯＣＴイメージングモジュールと連動することができる。
【０１１０】
いくつかの実施形態では、直線偏光される掃引光源２５０からの光ビームは、光ファイバ２５１を介して光ファイバコンバイナ２５２に案内される。照準光源２５３からの光ビームもまたコンバイナ２５２に案内される。掃引光源２５０からの光ビームは、コンバイナ２５２で照準光源２５３からの光ビームと結合される。コンバイナ２５２からの出力光ビームは、ファイバ２８８によって案内される。たとえば、ファイバ２８８は、偏光保持（ＰＭ）ファイバ２８８であり得る。ファイバ２８８は、コンバイナ２５２からの出力光ビームをその光ビームの偏光がファイバ２８８の偏光軸のうちの一つ、たとえば遅軸と位置合わせされた状態でＰＭ光ファイバカプラー２５５のポートへ案内することができ、次に様々な強度比率（たとえば、１０：９０、または２０：８０、または３０：７０の比率または他の比率）を有する二つの光ビームに分割することができ、これらの光ビームは、次に二つのＰＭ光ファイバ２５６と２５７を介して外に案内される。光ファイバカプラー２５５の出力ビームの第一の部分は、ＰＭファイバ２５６に案内されてＯＣＴ干渉計２８０のサンプルアームを形成することができ、光ファイバカプラー２５５の出力ビームの第一の部分は、ＰＭファイバ２５７に案内されてＯＣＴ干渉計２８０の参照アームを形成することができる。たとえば、ＰＭファイバ２５６の一部分は、図４Ａで参照番号２５４として示されるように、小さな半径を有する複数の小さな円（巻き）にできる。このような処置は、ＰＭファイバ２５６の軸の一つ、たとえば速軸における残留光を除去するために使用でき、唯一つの直線偏光によって、ＰＭファイバ２５６に伝わる光を作ることになる。
【０１１１】
図１、図２Ａ、図３、および図４を参照すると、ＰＭファイバ２５６の光は、いくつかの実施形態では、次に、ＯＣＴイメージングモジュール１１０にさらに案内されて光ファイバ干渉計２８０のサンプルアームを形成することができる。いくつかの実施形態では、サンプルアームの詳細は、図２Ａに示されている。いくつかの他の実施形態では、ＰＭファイバ２５６の光ビームは、ＯＣＴイメージングモジュール３１０にさらに案内されて光ファイバ干渉計２８０のサンプルアームを形成することができ、サンプルアームは、図３に示されるように、ＯＣＴイメージングモジュール３１０を備える。いくつかの代替の実施形態では、ＰＭファイバ２５６の光ビームは、他のＯＣＴイメージングモジュールにさらに案内されて光ファイバ干渉計２８０のサンプルアームを形成することができる。ＰＭファイバ２５６は、手持ち式イメージングプローブ１４０に接続でき、図１、図２Ａおよび図３に示される光ファイバ１０３の一部になる。いくつかの実施形態では、ファイバ２８８とファイバ２５６は、ファイバ１０３を形成することができる。ファイバ１０３は、第一の部分２８８と第二の部分２５６を備えることができる。いくつかの他の実施形態では、ファイバ２５１、ファイバ２８８およびファイバ２５６は、ファイバ１０３を形成することができる。このファイバ１０３は、第一の部分２５１、第二の部分２８８、および第三の部分２５６を備えることができる。
【０１１２】
ＰＭファイバ２５７の光ビームは、ＯＣＴ干渉計２８０の参照アームを形成するために使用でき、光学分散補償モジュール２５８に案内される。ＰＭファイバ２５７からの光ビームは、コリメータレンズ２５９によって平行にされ、次に、同様の光学レンズ２６０によって他のＰＭ光ファイバ２６５に結合される。二つの光学レンズ２５９と２６０の間の距離は、参照アームの全体の光路長を調整するために変えられる。光学分散コンポーネント２６１は、サンプルアームに光学系を作るために使用される光学材料の光学分散特性と整合する様々な光学材料を備えることができる。光学分散コンポーネント２６１は、照準光源２５３からの光ビームを吸収するまたは反射する光学フィルタを含むことができ、照準光ビームが分散補償モジュール２５８を通過することを防止することができる。
【０１１３】
図２Ａと図４を参照すると、後眼部、すなわち網膜から散乱される光ビームは、ＯＣＴイメージングモジュール１１０に受光され、光ファイバ２５６を通って送り返すことができる。次に、光ビームは、ＰＭ光ファイバ２５６を介して光ファイバ干渉計２８０に戻される。戻された光ビームは、掃引光源２５０と照準光源２５３を起源とする光ビームを含むが、ＯＣＴイメージングモジュール１１０内のビーム分割ダイクロイックミラー１０２が照準光源２５３の光ビームの大部分を画像センサ２０１に伝送するという事実のために、照準光の強度は、もっと減衰される。
【０１１４】
ＰＭファイバ２５６からの光ビームの一部は、光ファイバカプラー２５５によって再び分割でき、次に他のＰＭファイバ２６２に結合される。偏光調整コンポーネント２６３は、ファイバ２６２から他の５０：５０光ファイバカプラー２６４に伝達する光の偏光方向を調整するため、および参照アームのファイバ２６５からの光ビームの偏光方向と一致させるために使用できる。サンプルアームファイバ２６２と参照アームファイバ２６５からの光ビームは、ファイバカプラー２５４で混合でき、結果として、光位相差において常に１８０度のずれを有する二つの干渉光ビームを生じ、次にこれらの干渉光ビームは、二つの光ファイバに結合される。バランス光検出器２６６は、二つのファイバからの光信号を検出するために使用でき、それらの光信号を遅延検波方式で電気信号に変換する。デジタル収集モジュール２６７は、アナログ信号をデジタル化するために使用でき、信号は次に、更なる処理のために、および医師が医療診断を行うためのＯＣＴ画像を生成するために、プロセッサ２６８に送られる。プロセッサ２６８は、干渉計からのデータを処理するために、およびＯＣＴイメージングモジュールから眼のＯＣＴ画像を生成するように構成される。照準光源２５３からの光ビームの大部分がバランス検出器２６６に達する前に除去されるので、それが、検出された信号に大きな影響を及ぼすことはない。いくつかの他の実施形態では、バランス検出器２６６は、検出器２６６が照準光源２５３の光波長範囲に対して敏感ではないように構成できる。
【０１１５】
ＯＣＴエンジンと走査プローブとの間の光ファイバが比較的短く、かつ空間に固定されている従来のＯＣＴイメージングシステムにとって、ファイバの曲げまたはねじり等の動きの影響は、ＯＣＴイメージングの動作中、これらファイバに対して大きくはない可能性がある。一般的に、従来のＯＣＴイメージングシステムは、ＰＭファイバを含まない。しかしながら、ポータブルな手持ち式イメージングプローブへ接続されるように、ファイバは長くなる可能性が有り、たとえば５メートルもの長さであり得る。ポータブルな手持ち式ＯＣＴイメージングプローブに関して、ファイバが長く、かつ光干渉計のパーツであるために、ファイバへのそのような動きの影響、たとえばファイバの曲げまたはねじりが、ＯＣＴ画像の望ましくない不安定性を導入して画像品質に顕著に影響を及ぼし得る。従来の手持ち式ＯＣＴイメージングプローブにとっての最も大きな問題の一つは、そのような動きの影響である。
【０１１６】
図４に示されるように、偏光ファイバ、たとえば、参照番号２５６の使用、およびＯＣＴエンジン１３１の関連する光学設計は、そのような動きの影響を減少しでき、かつ最小化できる。ＰＭファイバ、たとえば参照番号２５６の特別な繁栄および一つの軸の光を完全に除去する特別な処置のために、ＰＭファイバ２５６と２５７の曲げやねじりからの動きの影響等の外部からの影響は、ファイバを伝わる光ビームの偏光方向を変化することはできない。したがって、得られたＯＣＴ画像は、より安定的である。サンプルアームにおける光ビームに関する偏光方向の安定化は、ファイバ干渉計２８０における光干渉パターンを安定化するのに非常に重要であり、それによって、より安定したＯＣＴ画像を得ることができ、かつ画像品質が大きく向上できる。
【０１１７】
光学偏光ファイバ（たとえば、２５６）の使用は、高い光信号損失を生じる可能性がある。ＦＤＡ規則により、安全上の懸念から、限られた量の光しか眼に投射できない。眼からの光の戻り量は、眼科のＯＣＴイメージングシステムにとって非常に少ない。ファイバでの高くなり得る損失は、ＯＣＴ画像のＳ／Ｎ比を減少し得る。ＯＣＴ画像のＳ／Ｎ比を増加するために、関連するＯＣＴイメージングモジュールの設計を考慮する必要がある。
【０１１８】
ＯＣＴ干渉計２８０は、ＯＣＴ画像の光学品質の安定性を向上するためにファイバの動きの影響を減少するための一つ以上のＰＭファイバを備えることができる。いくつかの実施形態では、ＯＣＴ干渉計２８０は、複数のＰＭファイバを備えることができ、たとえば、ファイバ２５６とファイバ２５７は、ＰＭファイバであり得る。いくつかの代替の実施形態では、ＯＣＴ干渉計２８０は、一つのＰＭファイバ２５６を備えることができ、他のファイバは、普通の非ＰＭファイバである。
【０１１９】
図５Ａは、コンソール１３０と手持ち式イメージングプローブ１４０を接続するデータリンクとしての電気ケーブル１３６ａを有する広視野ＯＣＴイメージングシステム１００ａを概略的に示している。図１、図２Ａおよび図５Ａを参照すると、ＯＣＴイメージングシステム１００は、電気ドライバ１３７をさらに備えることができる。電気ドライバ１３７は、イメージングプローブ１４０内のＯＣＴイメージングモジュール１１０に収納でき、電気ドライバ１３７は、一つの方向または二つの直交する方向であり得る走査ミラー１１２を制御し、電源投入する。電気ドライバ１３７は、レンズ１０４のためのアクチュエータ１０４ａおよび合焦レンズ１１４のためのアクチュエータ１１４ａを制御するために使用できる。主要コンソール１３０に収容できる、電気ドライバ１３７のための対応する走査ミラーコントローラ１３４は、データリンクを介して通信し、かつ動きを同期させる。一実施形態では、データリンクは、電気ケーブル１３６ａによって提供される。ＯＣＴ光源（図示せず）およびデータ収集（図示せず）との走査ミラー１１２並びにアクチュエータ１１４ａおよび１０４ａとの同期は、電気ケーブル１３６ａを介して実行できる。電気ケーブル１３６ａは、コンソール１３０の走査ミラーコントローラ１３４をプローブ１４０の走査ＭＥＭＳミラー１１２に接続できる。電気ケーブル１３６は、プローブ１４０のＯＣＴイメージングモジュール１１０に電力も提供する。他のイメージングモダリティのためのコンソール１３０とイメージングプローブ１４０との間の通信は、同様に他の接続によって実行できる。
【０１２０】
図５Ｂは、少なくとも一つのＯＣＴファイバ１０３と一つ以上の第二の光同期ファイバ１５８を備える一体化ＯＣＴイメージングモジュール１１０を有する広視野ＯＣＴイメージングシステム１００ｂを概略的に示している。患者と直接的にまたは使い捨てキャップを介して接触することができる遠隔のイメージングプローブ１４０にとって、コンソール１３０からの電気絶縁は、特に走査ミラー１１２自体に高電圧が関与している場合、電気的安全性のために大きな問題となる。たとえば、いくつかの実施形態では、ＭＥＭＳ走査ミラー１１２に高電圧を印加できる。必要な電気絶縁を提供するために、走査ミラーコントローラ１３４とＯＣＴイメージングモジュール１１０との間の接続は、いくつかの実施形態では、一つ以上の第二の光同期ファイバ１５８によって実行できる。ＯＣＴファイバ１０３と一つ以上の第二の光同期ファイバ１５８は、コンソール１３０とイメージングプローブ１４０に接続できる。
【０１２１】
図５Ｃは、一つ以上の第二の光同期ファイバ１５８を備えるＯＣＴイメージングシステム１００ｂの詳細をさらに示す。コントローラ１３４からの信号は、まず、電気信号を光同期信号に変換する電気／光コンバータ１５２に送信でき、次に、一つ以上のシングルモード光ファイバまたはマルチモード光ファイバである一つ以上の第二の光ファイバ１５８を介してイメージングプローブ１４０に送信できる。光信号は、光信号を電気信号に変換する光／電気コンバータ１５４によって受信され、ＯＣＴイメージングモジュール１１０に収納された電気ドライバ１３７を同期させるために使用できる。通信は、双方向であり得る。いくつかの実施形態では、光／電気コンバータ１５４と電気ドライバ１３７は、共にイメージングプローブ１４０に収納された内部バッテリ１５０によって電力供給できる。電気／光コンバータ１５２は、電気信号を電気信号に変換するのみならず、比較的高出力のモジュールを介して電力を光出力に変換もできる。次に、光出力は、他のマルチモードファイバ１５６を介してイメージングプローブ１４０に伝送される。次に、ファイバ１５６からの光は、光／電気コンバータ１５７によって受光され、光出力を電力に変換する。次に、コンバータ１５７からの電力は、光／電気信号コンバータ１５４と電気ドライバ１３７に電力供給するために使用できる。そのような設計を通して、コンソール１３０とイメージングプローブ１４０の間の全体の電気絶縁が実現される。光信号は、いくつかの他の実施形態では、一つ以上のＯＣＴファイバ１０３によって実行できることも指摘されるべきである。
【０１２２】
図５Ｄは、コンソール１３０とイメージングプローブ１４０との間の電気絶縁が実施される広視野ＯＣＴイメージングシステム１００ｄの他の実施形態を概略的に示している。電気アイソレータ１５９は、光学的方法または電磁的方法を介して電気信号と電力の両方に対して電気絶縁を提供する。電気コントローラ１３４からの電気信号が電気アイソレータ１５９を通過した後に、電気信号は同じままであるが、コンソール１３０の電気接地から電気的に絶縁され、次に、電気ワイヤ１６０を介してイメージングプローブ１４０に伝送される。次に、信号は、電気コントローラ１３４と電気ドライバ１３７を同期するために使用される。また、電気アイソレータ１５９は、コンソール１３０の電気接地から電気的に絶縁される電力を、電気ドライバ１３７に電気ワイヤ１６１を介して提供する。
【０１２３】
図６は、走査ミラーコントローラ１３４とドライバ１３７との間の同期が無線で実現され、それによって、通信のための電気ケーブルまたは光ファイバの必要性を排除する広視野ＯＣＴイメージングシステム１００ｅの他の実施形態を概略的に示す。無線通信は、ＷｉＦｉ（登録商標）、Ｂｌｕｅｔｏｏｔｈ（登録商標）、または他の特別な無線通信プロトコルの形態であり得る。
【０１２４】
図７は、広帯域光源、データ収集システムおよび走査ＭＥＭＳミラー間での無線による同期の詳細を概略的に示している。図７に示されるように、走査ミラーコントローラ１３４からの信号は、最初に、信号を変換して無線でその信号を送り出す第一の無線トランスポンダ１５５に伝送される。イメージングプローブ１４０に収納された対応する第二の無線トランスポンダ１５７は、信号を電気信号に変換し、その信号を走査ミラードライバ１３７に送りって走査ミラー１１２と焦点機構の動きを制御することができる。そのような無線トランスポンダ１５７と電気ドライバ１３７に対する電力は、いくつかの実施形態では、イメージングプローブ１４０に収納された内部バッテリ１５０によって供給できる。無線通信は、双方向であり得る。
【０１２５】
図８Ａは、ＯＣＴイメージングモジュール１１０を有する広視野ＯＣＴシステム１００が手持ち式イメージングプローブ１４０の完全に一体化された部分として実施されることを概略的に示している。図８Ｂは、ＯＣＴイメージングモジュール１１０がイメージングプローブ１４０の主要部分１４０ｂに取り付けられた着脱自在のモジュール１４０ａとして実施できる、広視野ＯＣＴシステム１００ｆを概略的に示している。イメージングプローブ１４０は、取り外し可能な前部イメージングモジュール１４０ａと主要モジュール１４０ｂを備えることができる。イメージングプローブ１４０は、図８Ａおよび図８Ｂにおいて、参照番号１４０ａと１４０ｂとして示されるように、一つのピースまたは二つの別個のピースとして作成できる。前部部分１４０ａの長さは、３０ｍｍから５０ｍｍまでであることができる。ＯＣＴイメージングモジュール１１０は、イメージングプローブ１４０の前部の取り外し可能なセクション１４０ａのハウジングに配置できる。いくつかの実施形態では、前部イメージングモジュール１４０ａは、異なる光学系を含むことができる他の機能性モジュールから取外しまたは交換できる。たとえば、より高い倍率を有する前部イメージングモジュール、未熟児用に設計された前部イメージングモジュール、大人用に設計された前部イメージングモジュール、蛍光眼底血管造影法イメージング用に設計された前部イメージングモジュール、ＮＩＲイメージング用の前部イメージングモジュールおよび前眼部イメージング用の前部イメージングモジュールが、異なる状況下で使用できる。したがって、前部イメージングモジュールが交換可能であるまたは取り外し可能である設計では、イメージングプローブ１４０の可能性のある使用や用途は、飛躍的に拡大できる。
【０１２６】
いくつかの実施形態では、イメージングプローブ１４０は、様々な倍率で、かつ広帯域光源または狭スペクトル光源からの照明下で後眼部の画像を収集するために使用できる。光源のスペクトルは、可視光の範囲、ＩＲ光の範囲、近ＩＲ光の範囲、近ＵＶ光の範囲またはそれらの組み合わせにあることができる。広い撮影視野（ＦＯＶ）を得るために、光学窓は、直接にまたは使い捨てキャップを介して眼の角膜に僅かな圧力で配置できる。したがって、光学窓は、角膜のサイズに整合する凹面状面を有することができる。いくつかの実施形態では、たとえば、光学窓の外面は、６ｍｍと１５ｍｍとの間の曲率半径を有する。十分な粘度を有する光透過性屈折率整合ジェルが、角膜と光学窓との間に配置できる。屈折率整合ジェルの粘度は、少なくとも１００センチポアズ、２００センチポアズまたは３００センチポアズであり得る。患者の虹彩は、特殊な薬で拡張されてもされなくてもよい。いくつかの実施形態では、イメージングプローブ１４０は、同じ照明システムを使用して前眼部をイメージングするために設計された前部イメージングモジュール１４０ａを使用することによって前眼部の画像を得るために使用される。
【０１２７】
図８Ｂにおいて、様々な型のイメージングモジュールが、ＯＣＴイメージング能力を含むか含まないかにかかわらず様々なイメージングモダリティを実行するためにオペレータによって使用でき、それによって、手持ち式イメージングプローブ１４０の能力を拡大する。取り付けは、確実な機械的接続を行なうのみならず電力と電気信号の同期のための接続を行う、共通／標準の機械的なロック／インターフェースを介して実行できる。ＯＣＴイメージングモジュール１１０は、異なる型のイメージングフォーマットを形成するために他のイメージングモダリティ、たとえばカラーイメージングによるＯＣＴ、蛍光眼底血管造影法イメージングによるＯＣＴ、自動蛍光イメージングによるＯＣＴで実行できる。ＯＣＴイメージングモジュール１１０は、異なる撮影視野を有する異なるイメージング光学系、たとえば広視野イメージングまたは高倍率イメージングでも実行できる。
【０１２８】
図９は、本開示の一実施形態において、同じＯＣＴイメージングモジュール１１０が前眼部２０３をイメージングするために使用できることを概略的に示している。ＯＣＴイメージングモジュール１１０は、光学窓が、非接触顕微鏡の形態で、更なる光学系が光学窓２０２の前部に取り付けられているかいないかに関わらず、眼の角膜２０３から離れてそこから距離を置いたときに、前眼部２０３、すなわち角膜をイメージングするためにも使用できる。第一のイメージングモジュール１２０は、ＯＣＴ走査ビームの位置に関する軌跡と共に前眼部２０３のリアルタイムの２Ｄカラー画像を提供でき、他方、ＯＣＴイメージングモジュール１１０は、同じ領域のリアルタイムの断面図を提供できる。ユーザは、断面図に関する走査の方向および断面図の位置を選択することができる。目標が十分に安定している場合、全視野三次元ＯＣＴ画像が、静止カラー画像とともに撮られることができる。いくつかの他の実施形態では、アダプターレンズ９０１を、前部イメージングに関する画像ひずみの影響を改善するためにイメージングプローブ１４０の前部に追加できる。第一のイメージングモジュール１２０は、ＯＣＴイメージングモジュール１１０と同じ撮影視野を有することができる。
【０１２９】
図１０は、本開示の他の一実施形態に係る、ＯＣＴ干渉計の参照アーム１１０２が手持ち式ＯＣＴイメージングプローブ１０４０に一体化される、広視野ＯＣＴイメージングシステム１０００の例示的な光学設計の概略図である。ＯＣＴイメージングシステム１０００のイメージングプローブ１０４０は、ＯＣＴ干渉計の参照アーム１１０２と一体化されたＯＣＴイメージングモジュール１０１０を備えることができる。いくつかの他の実施形態では、ＯＣＴサンプルアーム１１０１と参照アーム１１０２は、光ファイバ１０３から伝送される光ビームを共有するように構成できる。ファイバ１０３の共有は、ＯＣＴ画像のドリフトを最小にし、かつ曲げまたはねじり等の光ファイバ１０３の動きの影響によって導入されるＯＣＴ画像の望ましくない動きから安定させるのを助けることができる。いくつかの実施形態では、ファイバ１０３は、ファイバ１０３の偏光軸の一つ、たとえば遅軸の光のみを伝送するために使用できる偏光保持ファイバであってもよい。
【０１３０】
偏光保持ファイバ１０３からの光がファイバ結合レンズ１０４によって平行にされて直線偏光子１０５を通過した後、光ビームは、ビームスプリッタ１１０４によって、たとえば２０／８０、１０／９０等の比率でサンプルビーム１１０１と参照ビーム１１０２に分割できる。サンプルビーム１１０１は、引き続き偏光ビームスプリッタ１０６へ、次に走査ミラー１１２へと伝搬することができ、他方、参照ビーム１１０２は、リレー路に投射されてサンプルビーム１１０１と等しい光路長を提供することができる。
【０１３１】
いくつかの実施形態では、光学分散補正モジュール１１０５は、リレー路において参照ビーム１１０２の波長依存分散および偏光依存分散を補償するために使用できる。波長依存分散および偏光依存分散は、イメージング光学系で使用される光学材料と眼の生体組織の光学分散の存在に起因してサンプル光路１１０１に生じ得る。レトロリフレクタ１１０８と、ビームスプリッタ１１０４の表面に追加される反射ミラーまたは反射コーティング１１０７は、参照光ビーム１１０２を反射し、コンパクトなリレー路を形成するために使用できる。複数回の反射後、参照ビームとしての光は、ビームスプリッタ１１０４によって反射され、同じ光軸、たとえば遅軸で直線偏光子１０５と偏光保持ファイバ１０３に戻すことができる。光強度モジュレータ１１０９も、明るさを制御するために参照光ビーム１１０２内に挿入でき、それによって、ＯＣＴイメージングモジュール１１０が異なる物体をイメージングするために使用されるときに、ＯＣＴ画像を生成するために使用される光干渉信号の全体の光パワーの調整を行う。光強度モジュレータ１１０９は、広帯域可変ＮＤフィルタ、広帯域半波長板、直線偏光子、および液晶モジュレータの形態で構成できる。レトロリフレクタ１１０８は、参照ビーム１１０２の光軸に沿って移動可能に構成でき、それによって、サンプル路長と参照路長がほぼ等しいように参照ビーム１１０２の光路の調整を行う。ＯＣＴイメージングモジュール１１０の動作距離範囲は、図９に示されるように、オペレータがＯＣＴイメージングを後眼部から前眼部へ切り替えるときに、レトロリフレクタ１１０８を事前に較正された距離に基づいて移動することにより調整できる。光学分散補正モジュール１１０５は、前眼部および後眼部のＯＣＴイメージングが実行されるときにサンプルビーム１１０１の光学分散とよりよく整合するように除去または調整されることもできる。
【０１３２】
概して、眼科的用途に限らず様々な用途のための広視野光ＯＣＴイメージングシステムが本明細書で開示される。たとえば、ＯＣＴイメージングシステムは、耳、鼻またはその他の人体の部位、または様々な他のサンプルをイメージングするために使用できる。光学窓は、サンプルと接触するように構成でき、かつ光学窓の前面は、サンプルの形状に整合するように構成できる。たとえば、ＯＣＴイメージングシステムは、耳のＯＣＴ画像を得るように設計でき、光学窓は、鼓膜の形状に整合する前面を有するように構成できる。
【０１３３】
いくつかの実施形態では、サンプルを観察するためのＯＣＴイメージングシステムは、手持ち式イメージングプローブとコンソールを備えることができる。手持ち式イメージングプローブは、先端部を有するプローブハウジング、第一のイメージングモジュールおよびＯＣＴイメージングモジュールを備えることができる。第一のイメージングモジュールは、プローブハウジングの主要部分に配置できる。ＯＣＴイメージングモジュールは、プローブハウジングの側部に配置できる。第一のイメージングモジュールは、第一の照明路と第一のイメージング路を備えることができ、第一のイメージング路は、第一の照明路から分離されている。第一の照明路は、プローブハウジングの内側に配置された第一の光源と、多数のセグメントを有する光調整要素を備える。光調整要素は、光学窓の周辺部の背後に配置される。光調整要素は、第一の光源からの第一の光ビームを受光し、第一の光ビームをサンプルに対して方向制御するように構成される。第一のイメージング路は、プローブハウジングの先端部に配置され、かつサンプルと接触するように構成された光学窓を備えることができる。光学窓は、観察対象のサンプルの形状に整合する前面を有することができる。第一のイメージング路は、第一のイメージングモジュールの焦点を調整するための第一の合焦レンズを含む一つ以上のレンズを備えることができる。第一イメージング路は、サンプルの第一の画像を受け取るように構成された画像センサをさらに備えることができる。ＯＣＴイメージングモジュールは、第二の照明路と第二のイメージング路を備えることができる。第二の照明路と第二のイメージング路は、走査ＭＥＭＳミラーおよびビーム分割ダイクロイックミラーを備えることができる。走査ＭＥＭＳミラーは、ＯＣＴ光源からのＯＣＴ光ビームの第一の部分を走査するように構成される。走査ＭＥＭＳミラーは、第一の照明路と第一のイメージング路の外側に配置できる。ビーム分割ダイクロイックミラーは、第一のイメージング路に配置でき、第一の光ビームを透過しかつＯＣＴ光ビームの第一の部分を反射するように構成できる。第二の照明路および第二のイメージング路は、ＯＣＴイメージングモジュールの焦点を調整するための第二の合焦レンズをさらに備えることができる。
【０１３４】
いくつかの実施形態では、広視野ＯＣＴシステムは、手持ち式イメージングプローブを備えることができる。手持ち式イメージングプローブは、ＯＣＴイメージングモジュールを有することができる。手持ち式イメージングプローブは、先端部を有するプローブおよびこの先端部に配置された光学窓を備えることができる。この光学窓は、サンプルの形状に整合する前面を有することができ、かつそのサンプルと接触するように構成される。手持ち式イメージングプローブは、光源からの光ビームの第一の部分を走査するように構成された走査ＭＥＭＳミラーをさらに備えることができる。手持ち式イメージングプローブは、イメージング路に一つ以上のレンズをさらに備えることができる。広視野ＯＣＴシステムは、コンソールを備えることができる。コンソールは、前記光源、干渉計、プロセッサ、走査ＭＥＭＳミラーコントローラおよびデータリンクを備えることができる。干渉計は、少なくとも一つの偏光保持ファイバを備えることができ、前記少なくとも一つの偏光保持ファイバは、ＯＣＴ画像の品質を安定化しかつ向上するために、光源からの光ビームを前記手持ち式イメージングプローブに結合しかつ動きの影響を減少するように構成できる。プロセッサは、干渉計からのデータを処理しかつ前記ＯＣＴイメージングモジュールからサンプルのＯＣＴ画像を生成するように構成できる。データリンクは、コンソールおよび手持ち式イメージングプローブに接続され、走査ＭＥＭＳミラーを光源および走査ＭＥＭＳミラーコントローラと同期するように構成される。
【０１３５】
いくつかの実施形態では、広視野ＯＣＴシステムは、手持ち式イメージングプローブを備えることができる。手持ち式イメージングプローブは、ＯＣＴイメージングモジュールを有することができる。手持ち式イメージングプローブは、先端部を有するプローブハウジングおよび前記先端部に配置された光学窓を備えることができる。光学窓は、サンプルの形状に整合する前面を有することができ、かつサンプルと接触するように構成される。手持ち式イメージングプローブは、光源からの光ビームの第一の部分を走査するように構成された走査ＭＥＭＳミラーをさらに備えることができる。前記手持ち式イメージングプローブは、イメージング路に一つ以上のレンズをさらに備えることができ、前記一つ以上のレンズは、光源の波長範囲内の光ビームに関する光学分散に対して、およびＯＣＴイメージングモジュールの撮影視野に関する光学分散に対して色消しされる。ＯＣＴシステムは、コンソールを備えることができる。コンソールは、前記光源、干渉計、プロセッサ、走査ＭＥＭＳミラーコントローラおよびデータリンクを備えることができる。プロセッサは、干渉計からのデータを処理しかつＯＣＴイメージングモジュールからサンプルのＯＣＴ画像を生成するように構成できる。データリンクは、コンソールおよび手持ち式イメージングプローブに接続され、走査ＭＥＭＳミラーを光源および走査ＭＥＭＳミラーコントローラと同期するように構成される。
【０１３６】
本開示を例示的な実施形態において開示してきたが、当業者は、開示された実施形態およびその変形に対する多くの追加、削除、および変更が、本開示の範囲から逸脱することなく実施できることを認識かつ理解するだろう。本明細書に記載されたこれらの実施例および実施形態に対する様々な変形が可能である。構成要素および／または機能は、追加され、除去され、配置換えされてもよくまたはそれらを組み合わせもよい。同様に、方法のステップが追加され、除去され、および／または並べ替えられてもよい。
【０１３７】
同様に、本開示に記載された実施例に対する様々な変更は、当業者が見ればすぐに分かるものであり、本明細書に定義された一般的原理は、本開示の精神または範囲から逸脱することなく他の実施例に適用できる。したがって、請求項は、本明細書に示される実施例に制限されることを意図せず、本開示、本明細書に記載した原理および新規の特徴と矛盾しない最も広い範囲と一致すべきである。
【０１３８】
したがって、本明細書において単一のものに対する言及は、複数の同じものが存在し得ることの可能性を含む。より具体的には、本明細書および添付の請求項に使用されるように、単数形「ａ（一つ）」、「ａｎ（一つ）」、「ｓａｉｄ（前記）」、および「ｔｈｅ（その）」は、特に明記されない限り、複数の指示対象を含む。換言すれば、これらの冠詞の使用は、上記の記載および以下の請求項において「ａｔ  ｌｅａｓｔ  ｏｎｅ（少なくとも一つ）」の対象物を考慮している。
【０１３９】
加えて、本明細書で使用されるように、「ａｔ  ｌｅａｓｔ  ｏｎｅ  ｏｆ（の少なくとも一つ）」で修飾されたもののリストに言及するフレーズは、単一の部材を含むこれらのものの任意の組み合わせに言及している。一例として、「ａ、ｂ、またはｃの少なくとも一つ」は、ａ、ｂ、ｃ、ａとｂ、ａとｃ、ｂとｃ、およびａとｂとｃを包含することを意図している。
【０１４０】
別個の実施形態に関して本明細書に記載される特定の特徴は、単一の実施形態において組み合わせて実施することもできる。逆に、一つの実施形態に関して記載された様々な特徴もまた複数の実施形態において別々にまたは任意の適切な部分的組み合わせで実施できる。さらに、特徴は、特定の組み合わせで機能するものとして上記に記載され、さらにはそのようなものとして最初に請求されている場合があっても、請求された組み合わせからの一つ以上の特徴が場合によってはその組み合わせから削除でき、その請求された組み合わせが部分的組み合わせまたは部分的組み合わせの変形を対象としている場合がある。
【０１４１】
同様に、動作が特定の順序で生じるものとして記載されている場合があるが、これは、望ましい結果を得るために、そのような動作がその記載された特定の順序でまたは記載順に実行されるべきであること、または記載された動作の全てが実行されるべきであることを要求しているものと理解されるべきではない。さらに開示されていない他の動作は、本明細書に記載されたプロセスに組み込まれることができる。たとえば、一つ以上の追加の動作が、開示された動作のうちのいずれかの前、その後、それと同時、またはその間で実行できる。特定の状況では、マルチタスキングおよび並行処理が有利であることがある。さらに上記の実施形態における様々なシステムコンポーネントの分離は、全ての実施形態においてそのような分離を必要としていると理解されるべきではなく、記載されたプログラムコンポーネントおよびシステムは、一般的に、単一の製品に一体化でき、または複数の製品にパッケージできると理解されるべきである。加えて、他の実施形態は、以下の請求項の範囲内にある。場合によっては、請求項に記載された動作は、異なる順序で実行でき、それでもなお望ましい結果を達成できる。
【０１４２】
好適な実施形態およびそれらの変形のシステム、デバイス、および方法は、コンピュータ可読命令を記憶しているコンピュータ可読媒体を受け入れるように構成された機械として少なくとも部分的に具体化および／または実施できる。命令は、ソフトウェアで構成されたコンピューティングデバイスを含むシステムと一体化されることが好ましいコンピュータ実行可能コンポーネントによって実行されることが好ましい。コンピュータ可読媒体は、ＲＡＭ、ＲＯＭ、フラッシュメモリ、ＥＥＰＲＯＭ、ＣＤまたはＤＶＤ等の光デバイス、ハードドライブ、フロッピドライブまたは任意の適切なデバイス等の、任意の適切なコンピュータ可読媒体に記憶できる。コンピュータ実行可能コンポーネントは、汎用プロセッサまたは特定用途向けプロセッサであることが好ましいが、その代わりに、またはそれに加えて、任意の適切な専用ハードウェアまたはハードウェア／ファームウェアの組み合わせが命令を実行できる。
【０１４３】
本明細書で使用される用語は、特定の実施形態を説明するために過ぎず、本発明を制限する意図はない。たとえば、本明細書で使用されるように、単数形「ａ（一つ）」、「ａｎ（一つ）」および「ｔｈｅ（その）」は、文脈上特に明記されない限り、複数形態を含むことが意図される。用語「ｃｏｍｐｒｉｓｅｓ（備える、含む）」および／または「ｃｏｍｐｒｉｓｉｎｇ（備える、含む）」は、本明細書で使用されるときに、述べられた機能、ステップ、動作、要素および／またはコンポーネントの存在を特定するが、一つ以上の他の機能、ステップ、動作、要素、コンポーネントおよび／またはそれらの群の存在または追加を排除しないことがさらに理解されるだろう。本明細書で使用されるように、用語「ａｎｄ／ｏｒ（および／または）」は、関連した列挙されたもの一つ以上のものの任意または全ての組み合わせを含み、「／」として省略されている場合もある。
【０１４４】
「ｕｎｄｅｒ（下）」、「ｂｅｌｏｗ（下方）」、「ｌｏｗｅｒ（下部）」、「ｏｖｅｒ（上）」、「ｕｐｐｅｒ（上方）」等の空間的に相対的な用語は、図面に示されているように、図面に示したある要素または特徴と別の一つ以上の要素または特徴との関係を説明するために、本明細書で説明しやすいように使用されている場合がある。空間的に相対的な用語は、図面に描かれた向きに加えて、使用時または動作時のデバイスの異なる向きを包含することを意図していることが理解されるだろう。たとえば、図面のデバイスが逆転された場合、他の要素または特徴の「ｕｎｄｅｒ（下）」や「ｂｅｎｅａｔｈ（下）」と説明された要素は、そうするとその他の要素または特徴の「ｏｖｅｒ（上）」になるだろう。このように、この例示的な「ｕｎｄｅｒ（下）」という用語は、上と下の両方の向きを包含することができる。デバイスは、それ以外の向き（９０度回転またはその他の向き）にしてもよく、本明細書で使用される空間的に相対的な記述語は、それに応じて解釈される。同様に、用語「ｕｐｗａｒｄｌｙ（上方に）」、「ｄｏｗｎｗａｒｄｌｙ（下方に）」、「ｖｅｒｔｉｃａｌ（垂直の）」、「ｈｏｒｉｚｏｎｔａｌ（水平な）」等の用語は、特に明記されない限り、もっぱら説明のために本明細書で使用される。
【０１４５】
「ｆｉｒｓｔ（第一の）」および「ｓｅｃｏｎｄ（第二の）」という用語は、様々な特徴／要素（ステップを含む）を説明するために本明細書で使用されている場合があるが、これらの特徴／要素は、文脈上特に指示されない限りこれらの用語によって制限されるべきではない。これらの用語は、一つの特徴／要素を他の特徴／要素から区別するために使用されている場合がある。したがって、本発明の教示から逸脱することなく、以下で論じられる第一の機能／要素は第二の機能／要素と呼ばれることができ、同様に、以下で論じられる第二の機能／要素は第一の機能／要素と呼ばれることができる。
【０１４６】
例示において使用される場合を含め、本明細書および特許請求の範囲において使用するように、かつ特に指定されない限り、全ての数字は、「ａｂｏｕｔ（約）」または「ａｐｐｒｏｘｉｍａｔｅｌｙ（ほぼ）」という用語が明示されていなくても、それらの用語が付されているかのように読解される場合がある。「ａｂｏｕｔ（約）」や「ａｐｐｒｏｘｉｍａｔｅｌｙ（ほぼ）」というフレーズは、大きさおよび／または位置を説明するために使用し、説明される値および／または位置が、値および／または位置の合理的で期待される範囲内であることを示す場合がある。たとえば、数値は、記述の値または値の範囲の±０．１％、記述の値または値の範囲の±１％、記述の値または値の範囲の±２％、記述の値または値の範囲）の±５％、記述の値または値の範囲の±１０％等である値を有する場合がある。本明細書に記載される任意の数値範囲は、その範囲に含まれる全ての部分範囲を含むことを意図している。
【０１４７】
様々な例示的な実施形態が上記で説明されたが、多くの変更のいずれも、請求項によって説明された本発明の範囲から逸脱することなく様々な実施形態に対して行うことができる。たとえば、様々な記載の方法のステップが実行される順序は、代替の実施形態においてしばしば変えられることができ、他の代替の実施形態において、一つ以上の方法のステップが、省略されてもよい。様々なデバイスとシステムの実施形態の任意の機能は、いくつかの実施形態に含まれ、他には含まれなくてもよい。したがって、上記の説明は、主に例示の目的で提供され、請求項に規定される通りの本発明の範囲を制限するように解釈されるべきではない。
【０１４８】
本明細書に含まれる実施例および図解は、主題が実施できる特定の実施形態を限定ではなく説明のために示す。上述のように、構造的および論理的な置き換えおよび変更が、本開示の範囲から逸脱することなく行えるように、他の実施形態が利用でき、それらの例および図解から導き出せる。したがって、特定の実施形態が本明細書に図解されかつ記載されたが、同じ目的を達成することを意図する任意の配置が、図示の特定の実施形態に置き換えられてもよい。本開示は、様々な実施形態の任意の適応または変化および全ての適応または変化を包含することを意図している。上記実施形態および本明細書で具体的に説明されていない他の実施形態の組み合わせは、上記の記載を検討すれば当業者には明白である。
【符号の説明】
【０１４９】
１００、１００ａ、１００ｂ、１００ｄ、１００ｅ、１００ｆ、３００、１０００  広視野ＯＣＴイメージングシステム、イメージング装置、ＯＴＣシステム
１０１  ハンドル部分（主要部分）
１０２  ディスプレイ、ビーム分割ダイクロイックミラー、ビームスプリッタ
１０３  偏光保持ファイバ、光ファイバ、ＯＣＴファイバ、ファイバケーブル
１０４  （光）結合レンズ、ファイバ結合レンズ
１０４ａ、１１４ａ  アクチュエータ
１０５  （広帯域）直線偏光子
１０６  偏光ビームスプリッタ（ＰＢＳ）
１０７  吸収層、反射コーティング
１０８  （広帯域）四分の一波長板
１１０、３１０、１０１０  ＯＣＴ（画像）イメージングモジュール
１１０ａ  側部
１１２  ＭＥＭＳ走査ミラー、走査ＭＥＭＳミラー
１１４  第二の合焦レンズ、（可動）合焦レンズ群
１１６  第二の広帯域四分の一波長板
１２０  第一のイメージングモジュール、イメージングシステム、イメージングプローブ
１３０  コンソール
１３１  ＯＣＴエンジン
１３４  走査（ＭＥＭＳ）ミラーコントローラ、電気コントローラ
１３６  データリンク
１３６ａ  電気ケーブル
１３７  電気ドライバ、走査ミラードライバ
１４０、１０４０  手持ち式（ＯＣＴ）イメージングプローブ
１４０ａ  前部イメージングモジュール、セクション
１４０ｂ  主要モジュール（主要部分）
１４１  プローブハウジング
１５０  内部バッテリ
１５２  電気／光コンバータ
１５４  光／電気（信号）コンバータ
１５５  第一の無線トランスポンダ
１５６  マルチモードファイバ
１５７  第二の無線トランスポンダ、光／電気コンバータ
１５８  第二の光同期ファイバ
１５９  電気アイソレータ
１６０、１６１  電気ワイヤ
２０１  後眼部、網膜
２０２  （接触）光学窓
２０２ａ  凹面状前面
２０２ｂ  平らな面、リング面
２０３  前眼部、角膜
２０４  イメージングレンズ
２０５  リレーレンズ
２０７  水晶体
２０８  二次画像面
２０９  第二の組のリレーレンズ
２１０  画像センサ、イメージングセンサ、センサチップ
２１１  第一の合焦レンズ、小型レンズ
２１２  光学開口
２１８  光調整要素
２２０  光ファイバ束
２２１  第一の光源
２４３  入射瞳
２５０  （広帯域）光源、ＯＴＣ光源、掃引光源
２５１  ファイバ１０３の第一の部分、光ファイバ
２５２  ビームコンバイナ、光ファイバコンバイナ
２５３  第三の光源、照準光源
２５４  ファイバコンバイナ、ファイバカプラー
２５５、２６４  光ファイバカプラー
２５６、２５７  ＰＭ（光）ファイバ
２５６  ファイバ１０３の第二の部分、第三の部分
２５８  光学分散補償モジュール
２５９、２６０  光学レンズ
２５９  コリメータレンズ
２６１  光学分散コンポーネント
２６２  サンプルアームファイバ
２６３  偏光調整コンポーネント
２６５  参照アームファイバ
２６６  バランス光検出器、バランス検出器、光検出器
２６７  データ収集モジュール、デジタル収集モジュール
２６８  プロセッサ
２８０  ＯＣＴ干渉計、光ファイバ干渉計
２８８  ファイバ、ファイバ１０３の第一の部分、ファイバ１０３の第二の部分
３１０  ＯＣＴイメージングモジュール
９０１  アダプターレンズ
１１０１  サンプルビーム、サンプルアーム、サンプル光路
１１０２  参照アーム、参照（光）ビーム
１１０４  ビームスプリッタ
１１０５  光学分散補正モジュール
１１０７  反射ミラー、反射コーティング
１１０８  レトロリフレクタ
１１０９  光強度モジュレータ
【図１】
2018526161.tif 000003
【図２Ａ】
2018526161.tif 000004
【図２Ｂ】
2018526161.tif 000005
【図２Ｃ】
2018526161.tif 000006
【図３】
2018526161.tif 000007
【図４】
2018526161.tif 000008
【図５Ａ】
2018526161.tif 000009
【図５Ｂ】
2018526161.tif 000010
【図５Ｃ】
2018526161.tif 000011
【図５Ｄ】
2018526161.tif 000012
【図６】
2018526161.tif 000013
【図７】
2018526161.tif 000014
【図８Ａ】
2018526161.tif 000015
【図８Ｂ】
2018526161.tif 000016
【図９】
2018526161.tif 000017
【図１０】
2018526161.tif 000018
【国際調査報告】
2018526161.tif 000019